(57)【要約】      （修正有）【課題】権利を予約した者が、キャンセル料金を支払うことなく、予約権利を簡便に譲渡することを可能とする、仲介支援サーバ、仲介支援システム、仲介支援方法及び仲介支援プログラムを提供する。【解決手段】発行者が発行する予約権利に関する予約権利情報を管理する仲介支援サーバ１２４であって、出品者からの譲渡を希望する予約権利情報を受信する通信部１２２と、予約権利情報を記憶する記憶部１２４と、予約権利情報が適正であるかどうかを判別し、適正であると判別された結果、予約権利情報から出品リストを生成し記憶部１２４に記憶する制御部１２３とを備える。制御部１２３は、記憶部１２４に記憶されている出品リストの配信を受けた購入希望者からの予約権利の購入希望情報を受信した場合、出品者に対して購入希望情報に基づく情報を送信し、発行者に対して購入希望情報に基づく名義変更要求をするための情報を生成する。【選択図】図１
2018097428.tif 000002
【特許請求の範囲】
【請求項１】
発行者が発行する予約権利に関する予約権利情報を管理する仲介支援サーバであって、
出品者からの譲渡を希望する前記予約権利情報を受信する通信部と、
前記予約権利情報を記憶する記憶部と、
前記予約権利情報が適正であるかどうかを判別し、適正であると判別された結果、前記予約権利情報から出品リストを生成し前記記憶部に記憶する制御部とを備え、
前記制御部は、前記記憶部に記憶されている前記出品リストの配信を受けた購入希望者からの前記予約権利の購入希望情報を受信した場合、前記出品者に対して前記購入希望情報に基づく情報を送信し、前記発行者に対して前記購入希望情報に基づく名義変更要求をするための情報を生成する仲介支援サーバ。
【請求項２】
前記制御部は、前記出品者又は前記購入希望者に対して、前記予約権利の予約に係る金額に基づく金額又は前記予約権利情報に含まれる販売希望金額に基づく金額の支払い要求の通知を行う請求項１に記載の仲介支援サーバ。
【請求項３】
前記制御部は、前記出品者又は前記発行者又は前記購入希望者に対して前記予約権利の予約に係る金額に基づく金額又は前記予約権利情報に含まれる販売希望金額に基づく金額の支払いを行うための情報を生成する請求項１又は２に記載の仲介支援サーバ。
【請求項４】
前記制御部は、前記予約権利情報に基づき発行者への支払い方法を判別し、支払い要求の通知をする者及びその金額を決定する請求項１乃至３のいずれか一項に記載の仲介支援サーバ。
【請求項５】
前記制御部は、前記購入希望情報を受信した場合、前記発行者に対して前記予約権利の予約に係る金額の支払いを行うための情報を生成し、前記出品者に対して前記予約に係る金額から前記予約権利情報に含まれる販売希望金額を引いた金額に所定金額を加えた金額の支払い要求の通知をする請求項１乃至４のいずれか一項に記載の仲介支援サーバ。
【請求項６】
前記制御部は、前記購入希望情報を受信した場合、前記出品者に対して前記予約権利情報に含まれる販売希望金額から所定金額を引いた金額の支払いを行うための情報を生成する請求項１乃至５のいずれか一項に記載の仲介支援サーバ。
【請求項７】
前記制御部は、前記購入希望情報を受信した場合、前記出品者に対して前記予約権利情報に含まれる販売希望金額から所定金額を引いた金額の支払いを行うための情報を生成し、前記購入希望者に対しての前記予約権利の予約に係る金額から前記販売希望金額を引いた金額の支払いを行うための情報を生成する請求項１乃至６のいずれか一項に記載の仲介支援サーバ。
【請求項８】
前記制御部は、前記購入希望情報を受信の有無にかかわらず、前記出品者に対しての前記予約権利情報に含まれる販売希望金額に基づく金額から所定金額を引いた金額の支払いを行うための情報を生成する請求項１乃至７のいずれか一項に記載の仲介支援サーバ。
【請求項９】
前記制御部は、前記予約権利情報に基づき前記発行者への支払い方法を判別し、
前記出品者から前記発行者へ前記予約に係る金額の支払いを行う方法の場合、前記制御部は、前記出品者に対して前記販売希望金額から所定金額を引いた金額の支払いを行うための情報を生成し、
前記仲介支援サーバの運営者から前記発行者へ前記予約権利の予約に係る金額の支払いを行う方法の場合、前記制御部は、前記発行者に対して前記予約に係る金額の支払いを行うための情報を生成し、前記出品者に対して、前記予約に係る金額から前記予約権利情報に含まれる販売希望金額を引いた金額に所定金額を加えた金額の支払い要求の通知する請求項１乃至８のいずれか一項に記載の仲介支援サーバ。
【請求項１０】
前記制御部は、前記予約権利情報に基づき前記発行者への支払い方法を判別し、
前記出品者から前記発行者へ前記予約に係る金額の支払いを行う方法の場合、前記制御部は、前記出品者に対して前記販売希望金額から所定金額を引いた金額の支払いを行うための情報を生成し、
前記購入希望者から前記発行者へ前記予約に係る金額の支払いを行う方法の場合、前記制御部は、前記出品者に対して前記販売希望金額から所定金額を引いた金額の支払いを行うための情報を生成し、前記購入希望者に対しての前記予約に係る金額から前記販売希望金額を引いた金額の支払いを行うための情報を生成する請求項１乃至８のいずれか一項に記載の仲介支援サーバ。
【請求項１１】
前記制御部は、前記購入希望者からの要求に基づき予約権利の出品可能性のある前記発行者の情報が前記出品リストに含まれることとなった場合、前記購入希望者に対して、前記出品可能性のある発行者の情報を含む情報の送信を行うことを特徴とする請求項１乃至１０のいずれか一項に記載の仲介支援サーバ。
【請求項１２】
前記記憶部は、前記発行者が名義変更を受け付けるかどうかの発行者情報を有し、前記制御部は、前記発行者情報に基づき前記予約権利情報が適正であるかどうかの判別を行う請求項１乃至１１のいずれか一項に記載の仲介支援サーバ。
【請求項１３】
前記予約権利は、宿泊施設に関する予約権利であることを特徴とする請求項１乃至１２のいずれか一項に記載の仲介支援サーバ。
【請求項１４】
発行者が発行する予約権利に関する予約権利情報を管理する仲介支援システムであって、
仲介支援サーバは、出品者からの譲渡を希望する前記予約権利情報を受信し、前記予約権利情報を記憶し、前記予約権利情報が適正であるかどうかを判別し、適正であると判別された結果、前記予約権利情報から出品リストを生成し前記記憶部に記憶し、前記出品リストの配信を受けた購入希望者からの前記予約権利の購入希望情報を受信した場合、前記出品者に対して前記購入希望情報に基づく情報を送信し、前記発行者に対して前記購入希望情報に基づく名義変更要求をするための情報を生成することを特徴とする仲介支援システム。
【請求項１５】
発行者が発行する予約権利に関する予約権利情報を管理する仲介支援方法であって、
仲介支援サーバが、
出品者からの譲渡を希望する前記予約権利情報を受信するステップと、
前記予約権利情報を記憶するステップと、
前記予約権利情報が適正であるかどうかを判別するステップと、
適正であると判別された結果、前記予約権利情報から出品リストを生成し前記記憶部に記憶するステップと、
前記出品リストの配信を受けた購入希望者からの前記予約権利の購入希望情報を受信した場合、前記出品者に対して前記購入希望情報に基づく情報を送信し、前記発行者に対して前記購入希望情報に基づく名義変更要求をするための情報を生成するステップとを有する仲介支援方法。
【請求項１６】
発行者が発行する予約権利に関する予約権利情報を管理する仲介支援プログラムであって、
出品者からの譲渡を希望する前記予約権利情報を受信するステップと、
前記予約権利情報を記憶するステップと、
前記予約権利情報が適正であるかどうかを判別するステップと、
適正であると判別された結果、前記予約権利情報から出品リストを生成し前記記憶部に記憶するステップと、
前記出品リストの配信を受けた購入希望者からの前記予約権利の購入希望情報を受信した場合、前記出品者に対して前記購入希望情報に基づく情報を送信し、前記発行者に対して前記購入希望情報に基づく名義変更要求をするための情報を生成するステップとを電子計算機に実行させる仲介支援プログラム。
【請求項１７】
ネットワークを介して発行者が発行する予約権利情報を管理する管理サーバと接続され、出品者が譲渡を希望する予約権利情報を管理する仲介支援サーバであって
前記管理サーバからの前記譲渡を希望する予約権利情報を受信する通信部と、
前記譲渡を希望する予約権利情報を記憶する記憶部と、
前記譲渡を希望する予約権利情報から出品リストを生成し前記記憶部に記憶する制御部とを備え、
前記制御部は、前記記憶部に記憶されている前記出品リストの配信を受けた購入希望者からの前記予約権利の購入希望情報を受信した場合、前記管理サーバに対して前記購入希望者の名義情報を送信する仲介支援サーバ。
【発明の詳細な説明】
【技術分野】
【０００１】
本発明は、予約権利の譲渡を行うための仲介を支援するための仲介支援サーバ、仲介支援システム、仲介支援方法及び仲介支援プログラムに関する。
【背景技術】
【０００２】
ＩＴの発展にともない、スマートフォンや携帯情報端末装置やパソコン等を利用して、航空機や列車の座席等の予約が簡単にできるようになってきており、同様に、ホテルの客室の予約もできるようになったことで、ホテル利用者の利便性は著しく向上している。
【０００３】
特許文献１では、予約のキャンセル時にキャンセル料金を確実に徴収しつつ、携帯電話や携帯情報端末装置やパソコン等からの客室の予約を受けることができる客室予約システムが開示されている。
【先行技術文献】
【特許文献】
【０００４】
【特許文献１】特開２００３−２０８４８０号公報
【発明の概要】
【発明が解決しようとする課題】
【０００５】
しかしながら、例えば、予約者が、宿泊施設などの宿泊の予約を宿泊日に近づいてからキャンセルしようとした場合、宿泊をしないにもかかわらずキャンセル料金が発生することになる。また宿泊施設から見た場合、キャンセル料金が宿泊料金の満額に満たない場合、その差額分の収益の減少が発生し、また宿泊日に近いことから、キャンセルとなった予約枠が他の顧客に販売できない可能性がある等の問題が生じることがある。
【０００６】
そのため、本発明では、上記問題を解決するために、権利を予約した者が、キャンセル料金を支払うことなく、予約権利を簡便に取引することを可能とする、仲介支援サーバ、仲介支援システム、仲介支援方法及び仲介支援プログラムを提供することを目的とする。
【課題を解決するための手段】
【０００７】
発行者が発行する予約権利に関する予約権利情報を管理する仲介支援サーバであって、出品者からの譲渡を希望する予約権利情報を受信する通信部と、予約権利情報を記憶する記憶部と、予約権利情報が適正であるかどうかを判別し、適正であると判別された結果、予約権利情報から出品リストを生成し記憶部に記憶する制御部とを備え、制御部は、記憶部に記憶されている出品リストの配信を受けた購入希望者からの予約権利の購入希望情報を受信した場合、出品者に対して購入希望情報に基づく情報を送信し、発行者に対して購入希望情報に基づく名義変更要求をするための情報を生成する仲介支援サーバである。
【０００８】
また、発行者が発行する予約権利に関する予約権利情報を管理する仲介支援システムであって、仲介支援サーバは、出品者からの譲渡を希望する予約権利情報を受信し、予約権利情報を記憶し、予約権利情報が適正であるかどうかを判別し、適正であると判別された結果、予約権利情報から出品リストを生成し記憶部に記憶し、出品リストの配信を受けた購入希望者からの予約権利の購入希望情報を受信した場合、出品者に対して購入希望情報に基づく情報を送信し、発行者に対して購入希望情報に基づく名義変更要求をするための情報を生成する仲介支援システムである。
【０００９】
また、発行者が発行する予約権利に関する予約権利情報を管理する仲介支援方法であって、仲介支援サーバが、出品者からの譲渡を希望する予約権利情報を受信するステップと、予約権利情報を記憶するステップと、予約権利情報が適正であるかどうかを判別するステップと、適正であると判別された結果、予約権利情報から出品リストを生成し記憶部に記憶するステップと、出品リストの配信を受けた購入希望者からの予約権利の購入希望情報を受信した場合、前記出品者に対して前記購入希望情報に基づく情報を送信し、発行者に対して購入希望情報に基づく名義変更要求をするための情報を生成するステップとを有する仲介支援方法である。
【００１０】
また、発行者が発行する予約権利に関する予約権利情報を管理する仲介支援プログラムであって、出品者からの譲渡を希望する予約権利情報を受信するステップと、予約権利情報を記憶するステップと、予約権利情報が適正であるかどうかを判別するステップと、適正であると判別された結果、予約権利情報から出品リストを生成し記憶部に記憶するステップと、出品リストの配信を受けた購入希望者からの予約権利の購入希望情報を受信した場合、出品者に対して購入希望情報に基づく情報を送信し、発行者に対して購入希望情報に基づく名義変更要求をするための情報を生成するステップとを電子計算機に実行させる仲介支援プログラムである。
【００１１】
また、ネットワークを介して発行者が発行する予約権利情報を管理する管理サーバと接続され、出品者が譲渡を希望する予約権利情報を管理する仲介支援サーバであって、前記管理サーバからの前記譲渡を希望する予約権利情報を受信する通信部と、譲渡を希望する予約権利情報を記憶する記憶部と、譲渡を希望する予約権利情報から出品リストを生成し記憶部に記憶する制御部とを備え、制御部は、記憶部に記憶されている前記出品リストの配信を受けた購入希望者からの予約権利の購入希望情報を受信した場合、管理サーバに対して購入希望者の名義情報を送信する仲介支援サーバである。
【発明の効果】
【００１２】
上述の仲介支援サーバ、仲介支援システム、仲介支援方法及び仲介支援プログラムによれば、権利を予約した者が、キャンセル料金を支払うことなく、予約権利を簡便に取引することを可能とすることができる。
【図面の簡単な説明】
【００１３】
【図１】第１から４の実施形態に係る仲介支援システムの構成を示す概略ブロック図である。
【図２】第１の実施形態に係る仲介支援システムの動作について説明するためのフローチャートである。
【図３】本発明の実施形態に係る出品リストについて説明するための図である。
【図４】第２の実施形態に係る仲介支援システムの動作について説明するためのフローチャートである。
【図５】第３の実施形態に係る仲介支援システムの動作について説明するためのフローチャートである。
【図６】第４の実施形態に係る仲介支援システムの動作について説明するためのフローチャートである。
【図７】第５の実施形態に係る仲介支援システムの動作について説明するためのフローチャートである。
【図８】第６の実施形態に係る仲介支援システムの構成を示す概略ブロック図である。
【図９】第６の実施形態に係る仲介支援システムの動作について説明するためのフローチャートである。
【図１０】第７の実施形態に係る端末装置の表示状態を説明するための図である。
【図１１】実施形態に係るコンピュータの構成を示す概略ブロック図である。
【発明を実施するための形態】
【００１４】
以下、本発明の実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１５】
以下、本発明の実施形態は、例として、ホテルや旅館などの宿泊施設が発行する宿泊予約の権利（予約権利)の販売、購入について記載する。しかし、本発明は、宿泊施設に宿泊予約の権利に限られるものでなく、予約権利と名義情報が紐づけられる形態の権利であれば、飛行機の搭乗予約権利やツアー、アクティビティの参加予約権利にも適用することができる。
【００１６】
宿泊施設等に対する予約料金や宿泊料金の支払い方法（料金支払い方法）は、様々な方法がある。様々な方法とは、宿泊施設によって異なり、まず、大きくは、宿泊予約時に支払い手続きが行われているか行われていないかに分けられる。支払い手続きとは、クレジットカード番号を宿泊施設等に対して登録することで、宿泊料金に相当するクレジットカードの与信枠を宿泊施設等が確保することをいい、実際の支払いの引落し等が完了していても構わない。支払い手続きが行われていない場合には、更に仲介業者が宿泊施設等に宿泊料金の支払い(銀行振込み等でも構わない)を行う場合と、宿泊施設に宿泊をする者が、宿泊施設において宿泊料金の支払いを行う場合に分けられる。また、出品者と仲介事業者の間で、予約権利の買い取りを行うかどうかを選択することもできる。本発明の実施形態は、料金の支払い方法の種類によって様々な形態をとり得るため、それぞれについて第１の実施形態から第６の実施形態において説明する。尚、各実施形態は独立して実施する必要はなく、適宜組み合わせて実施をしても構わない。また、予約権利情報に含まれる料金支払い方法に関する情報に基づいて、各方法を選択しても構わない。具体的には、予約権利の譲渡を希望する出品者が出品の際に入力する予約権利情報に含まれる料金支払い方法を仲介支援サーバが判別し、各実施形態の仲介支援方法のうちどの方法を選択するかを決定することができる。例えば、料金支払い方法が、出品者の宿泊予約時には支払い手続きを行わず、購入者が予約権利を購入した場合に出品者から仲介業者への料金の支払いを行い、仲介業者から宿泊施設に対して宿泊料金の支払いが行われる方法である場合には第１の実施形態の仲介支援方法を選択する。また、料金支払い方法が、出品者の宿泊予約時に支払い手続きを行っており、購入者（購入希望者）が予約権利を購入した場合に仲介業者から出品者への料金の支払いを行い、出品者から宿泊施設に対してクレジットカードの決済により宿泊料金の支払いが行われる方法である場合には第２の実施形態の仲介支援方法を選択する。また、料金支払い方法が、出品者の宿泊予約時には支払い手続きを行わず、購入者が予約権利を購入した場合に出品者から仲介業者への料金の支払いを行い、購入者から宿泊施設に対して宿泊時に宿泊料金を支払い、仲介業者から購入者へ料金の支払い（キャッシュバック）が行われる方法である場合には第３の実施形態の仲介支援方法を選択する。また、料金支払い方法が、出品者の宿泊予約時に支払い手続きを行っており、購入者による予約権利を購入の有無にかかわらず仲介業者から出品者への料金の支払いを行い、出品者から宿泊施設に対してクレジットカードの決済により宿泊料金の支払いが行われる方法である。すなわち、予約権利を出品者から仲介業者が買い取り保証を行う方法である場合には第４の実施形態の仲介支援方法を選択する。また、料金支払い方法が、出品者の宿泊予約時にクレジットカード番号を登録しておいて、出品者からの出品を仲介業者が審査承認した時点で出品者に料金の支払いを行い、出品者から宿泊施設に対してクレジットカードの決済により宿泊料金の支払いが行われる方法である。すなわち、予約権利を出品者から仲介���者が買い取りを行う方法である場合に第５の実施形態の仲介支援方法を選択する。また、料金支払い方法が、出品者がＯＴＡ（Ｏｎｌｉｎｅ  Ｔｒａｖｅｌ  Ａｇｅｎｔ＝オンラインの旅行代理店）に対して宿泊予約時に支払い手続きを行っており、購入者が予約権利を購入した場合に仲介業者から出品者への料金の支払いを行う。そして、出品者からＯＴＡに対してクレジットカードの決済により料金の支払いが行われ、ＯＴＡから宿泊施設に対して宿泊料金の支払いが行われる方法である場合には、第６の実施形態の仲介支援方法を選択する。
【００１７】
＜構成＞
まず、図１を用いて第１から５の実施形態における予約権利の譲渡を行うための情報を管理する仲介支援サーバ１２１を含む、仲介支援システム１の構成及びその概要について説明する。なお、図１は、本実施形態の仲介支援システム１のブロック図である。
【００１８】
本実施形態の仲介支援システム１は、図１に示すように、端末装置１１１ａ〜１１１ｃ(以下まとめて端末装置１１１とする)、仲介支援サーバ１２１と宿泊施設予約システム１３１ａ〜１３１ｃ（以下まとめて宿泊施設予約システム１３１とする）とが、例えばインターネットやＬＡＮ等のネットワーク１４１に接続可能に構成されている。また仲介支援サーバを操作するためのシステム端末１２５が仲介支援サーバ１２１と接続されている。システム端末１２５はネットワーク１４１を介して仲介支援サーバ１２１に接続されていても構わない。
【００１９】
端末装置１１１は、ユーザが使用するための装置である。ユーザは端末装置１１１を用いて、宿泊施設の予約を行ったり、宿泊施設の予約権利を売却したり、購入したりすることができる。すなわちユーザは、本システムにおける出品者であり購入者である。
【００２０】
仲介支援サーバ１２１は、仲介業者が、ユーザが売却や購入を希望する宿泊予約の権利情報の管理を行うサーバである。仲介支援サーバ１２１は、通信部１２２と制御部１２３と記憶部１２４から構成される。また、仲介支援サーバは、仲介支援サーバ１２１の操作を行うためのシステム端末１２５が接続されている。システム端末１２５は、仲介支援サーバ１２１と直接接続されていてもよいし、ネットワーク１４１を介して接続されていても構わない。
【００２１】
通信部１２２は、ネットワーク１４１を介して端末装置１１１と通信を行う通信インタフェースである。通信部１２２は、端末装置１１１からの予約権利の出品情報を受信したり、販売対象である予約権利情報の一覧リスト(出品リスト)をインターネット上に配信し、端末装置１１１から閲覧可能にする。また、端末装置１１１からの購入要求の送受信を行う。
【００２２】
制御部１２３は、通信部１２２を介して受信した予約権利の出品情報を後述する記憶部１２４への記憶を行う。制御部１２３は、出品情報の内容の審査を行う。例えば、受信した出品情報の予約権利の日付が、既に過ぎた日付であるなど、販売に不適当である場合には、不適当であると判別を行う。また、仲介業者の職員に対しての、作業指示の生成を行う。作業指示は、具体的には、名義変更の指示や、料金の支払い等の作業についてであり、支払い金額等の情報が含まれる。制御部１２３は、作業指示を仲介端末サーバに接続されたシステム端末１２５に通信部１２２を介して発行し、システム端末１２５で表示されることにより、仲介業者の職員が作業指示の内容を認識することができる。
【００２３】
記憶部１２４は、通信部１２２を介して受信した、予約権利の出品情報の記憶を行う。また予約権利の出品情報に基づいて、販売対象である予約権利情報の一覧の記憶を行う。また、記憶部１２４は、予約権利の出品を希望する者や、購入を希望する者の個人情報の記憶を行う。また、予約権利の対象である宿泊施設が宿泊者の名義変更を受け付けるかどうかの情報の記憶を行う。
【００２４】
システム端末１２５は、仲介支援サーバ１２１の操作を行うための端末である。また、仲介支援サーバ１２１からの作業指示を表示するための端末である。システム端末１２５と仲介支援サーバ１２１は、１つの装置やプロセッサで構成されていてもよいし、複数の装置やプロセッサで構成されていてもよい。さらに、システム端末１２５と仲介支援サーバ１２１は、物理的に一体の装置として構成されていてもよい。
【００２５】
宿泊施設予約システム１３１は、宿泊施設がユーザからの宿泊予約情報の管理を行うシステムである。宿泊予約情報は、宿泊者名、宿泊日、宿泊人数、食事の有無、料金情報等であり、各宿泊予約情報には予約番号が紐づけされて管理される。宿泊施設予約システム１３１は、端末装置１１１からの要求で宿泊予約の発行を行い、宿泊予約情報を端末装置１１１へと送信する。
【００２６】
端末装置１１１は、スマートフォン、携帯電話、ＰＨＳ、コンピュータ、ＰＤＡ、腕時計、スマートウォッチ等の情報処理装置であり、インターネット（ＷＡＮ）、ＬＡＮなどのネットワーク１４１を介して仲介支援サーバ１２１や宿泊施設予約システム１３１に接続可能な装置である。なお、端末装置１１１と仲介支援サーバ１２１や宿泊施設予約システム１３１間の通信回線は、有線でもよいし無線でもよい。
【００２７】
また、端末装置１１１は、インストールされた専用のアプリケーションソフトウェアによって仲介支援サーバ１２１にアクセスしてもよい。また、仲介支援サーバ１２１が提供する動作環境（ＡＰＩ（アプリケーションプログラミングインタフェース）、プラットフォーム等）を利用して仲介支援サーバ１２１にアクセスしてもよい。
【００２８】
（第１の実施形態）
以下、第１の実施形態について説明する。第１の実施形態は、出品者の宿泊予約時には出品者からの料金の支払いを行わず、購入者が予約権利を購入した場合に出品者から仲介業者への料金の支払いを行い、仲介業者から宿泊施設に対して宿泊料金の支払いが行われる方法である。
【００２９】
＜処理の流れ＞
次に、本発明の第１の実施形態に係る仲介支援システム１の動作について、図２に示すフローチャートと、図３の出品リストを参照しながら説明する。また、図２は、端末装置１１１ａを使用する出品者、宿泊施設予約システム１３１ａを使用する宿泊施設、仲介支援サーバ１２１を使用する仲介業者、端末装置１１１ｂを使用する購入者の各動作の関連状態をフローチャートに示している。
【００３０】
ステップＳ１０１において、出品者は、端末装置１１１ａから、宿泊施設の宿泊施設予約システム１３１ａに対して、ネットワーク１４１を介して宿泊施設の宿泊予約を行う。
【００３１】
ステップＳ１０２において、宿泊施設は、宿泊施設予約システム１３１ａから、出品者に対して、宿泊予約情報を送信する。宿泊予約情報には予約日、予約人数、予約番号等の情報が含まれる。
【００３２】
ここで、出品者が予定の変更等により、宿泊予約をキャンセルせず転売したい事態が発生した場合について説明する。ステップＳ１０３において、出品者は、宿泊予約の予約権利を仲介業者に出品を行う。具体的には、出品者の端末装置１１１ａから、ネットワーク１４１を介して、仲介業者の仲介支援サーバ１２１に対して、予約権利情報を送信する。予約権利情報は、予約権利に関する出品者個人を特定するための情報、予約番号、宿泊施設名、宿泊プラン、人数、出品期間、予約に係る金額Ａ(宿泊の定価金額)、販売希望の金額Ｂ(販売希望金額)、料金支払い方法等の情報であり、出品者が入力する。その際に、出品者は、後述する仲介業者への支払いに対応するクレジットカード情報の登録をし、仲介業者はクレジットカード決済の与信枠を確保する。なお、出品者個人を特定するための情報は、出品者が都度入力する必要はなく、出品者が仲介業者に対して会員登録等を行うことにより、システムのログイン情報として仲介支援サーバ１２１の記憶部１２４が保持していても構わない。
【００３３】
次に、ステップＳ１０４において、仲介業者は、出品された予約権利についての予約権利情報の審査を行う。具体的には、予約権利情報の内容、例えば予約の日付が既に過ぎていないか、又は、予約された宿泊施設が名義変更を受け付けるかどうか等について判断を行い、販売に不適切な場合はＮＧとしてステップＳ１０５に処理を進める。審査がＯＫである場合にはステップＳ１０７へ処理を進める。当該判断は、仲介支援サーバ１２１の制御部１２３が行っても構わないし、人が判断し、判断結果を仲介支援サーバ１２１に入力しても構わない。制御部１２３が判断を行う場合、記憶部１２４に記憶されている宿泊施設が名義変更を受け付けるかどうかの情報を参照する。
【００３４】
ステップＳ１０５において、仲介業者は、出品された予約権利の審査結果がＮＧである旨を出品者に通知を行う。具体的には、仲介支援サーバ１２１は、出品者の使用する端末装置１１１ａに対して審査結果ＮＧの情報を送信する。
【００３５】
ステップＳ１０６において、端末装置１１１ａは、審査結果情報がＮＧかどうかを判別する。判別の結果、審査結果情報がＮＧの場合は、ステップＳ１１４へ処理を進める。審査結果情報がＮＧでない場合、すなわちＯＫである場合にはステップＳ１１３へ処理を進める。
【００３６】
ステップＳ１０７において、仲介支援サーバ１２１の制御部１２３は、出品審査がＯＫとなった予約権利情報を記憶部１２４に記憶する。記憶された予約権利情報は、図３で示す出品リストとして構成され、ネットワーク１４１を介してＷＥＢ上で公開される。そのため、購入者は端末装置１１１ｂから出品リストの内容を確認することができる。
【００３７】
図３は、ＷＥＢサイト上で表示される購入可能な宿泊施設の予約権利の出品リストを示す図である。出品リストは、各宿泊施設について、宿泊施設の写真と、宿泊施設の名称、購入可能な宿泊日、宿泊人数、出品者が設定した掲載終了日、そして、予約に係る金額Ａ（宿泊の定価）、出品者が設定した販売希望の金額Ｂが掲載されている。そのため、購入者は、自分の希望する条件を出品リストから探すことができる。
【００３８】
ステップＳ１０８において、購入者は、出品リストから希望する予約権利についての購入を行うことができる。具体的には、購入者が使用する端末装置１１１ｂから出品リストに出品されている予約権利を選択する。購入に際しては、金額Ｂを仲介業者に支払う。支払い方法は、現金でも振り込みでも、クレジットカードによる決済でも構わない。
【００３９】
ステップＳ１０９において、仲介支援サーバ１２１の制御部１２３は、購入者の有無を判別する。公開された出品リストに対して、購入者があればステップＳ１１０へ処理を進める。出品者が設定した出品期間内に購入者がない場合は処理を終了する。購入者がいなかった情報を出品者に送信しても構わない。
【００４０】
ステップＳ１１０において、仲介支援サーバ１２１は、出品者へ購入者があった旨の販売情報の通知を行う。具体的には、制御部１２３は、通信部１２２を介して販売情報を端末装置１１１ａへ送信する。
【００４１】
ステップＳ１１１において、仲介業者は、宿泊施設に対して購入された予約権利の予約者の名義を、ステップＳ１０８で予約権利を購入した購入者の名義への変更を要求する。また、仲介業者は、宿泊施設に対して予約料金である金額Ａを支払う。具体的には、仲介支援サーバ１２１は、名義変更要求の指示をシステム端末１２５に表示しても構わない。名義変更要求の指示を見た仲介業者の職員が電話等で宿泊施設に連絡を行っても構わない。
【００４２】
ステップＳ１１２において、宿泊施設は、仲介業者からの名義変更要求と宿泊料金の支払いに基づいて、予約権利の名義人の変更を行う。具体的には、宿泊施設予約システム１３１ａにおける予約名義を、仲介業者から送信又は連絡された予約権利の購入者への変更を行う。名義変更は、仲介支援サーバ１２１から宿泊施設予約システム１３１ａにネットワーク１４１を介して電気的に行ってもよいし、仲介業者の職員からの電話等による連絡で宿泊施設の職員が行っても構わない。
【００４３】
ステップＳ１１３において、出品者は出品期間内に購入者の有無の判別を行う。具体的には、端末装置１１１ａは、購入者の有無について判別し、結果を端末装置１１１ａに表示する。購入者が無かった場合はステップＳ１１４へ進み、購入者があった場合にはステップＳ１１６へ進める。購入者は、購入者が無いと認識した場合、当初の予定通り、宿泊施設での宿泊を行っても構わない。
【００４４】
ステップＳ１１４において、出品者はキャンセル料金である金額Ｃを宿泊施設に対して支払う。
【００４５】
ステップＳ１１５において、ステップＳ１１１で宿泊施設に対して名義変更の要求を行った仲介業者は、出品者に対して支払い要求を行う。この際、請求金額は、金額Ａから購入者の購入した金額Ｂを引いたものに手数料を加算した額（金額Ａ−Ｂ＋手数料）である。具体的には、仲介端末サーバ１２１は、出品者の端末装置１１１ａに支払い請求情報を送信する。この送信方法は、電子メール等を用いても構わない。
【００４６】
ステップＳ１１６において、出品者は仲介業者に対して、ステップＳ１１５で請求された金額Ａに手数料を加算した金額の支払いを行う。支払い方法は、ステップＳ１０３で登録されたクレジットカードの与信枠に基づいて決済することにより引落を行う。
【００４７】
ステップＳ１１７において、購入者は、宿泊施設において、予約権利の内容に基づいて宿泊を行うことができる。ステップＳ１１２において、宿泊者の名義は購入者に変更となっており、また宿泊料金は、ステップＳ１１１において、仲介業者から宿泊施設に既に支払いが行われているため、購入者は、何らの手間を要することなく、宿泊施設に宿泊をすることができる
【００４８】
＜効果の説明＞
以上のように、本発明第１の実施形態に係る仲介支援システムによれば、宿泊施設の予約をしたものの、予定の変更等により宿泊ができなくなった者が、仲介業者を介して宿泊施設の宿泊に係る予約権利を販売することで、予約権利をキャンセルすることなく、購入を希望する者に販売をすることができる。これにより、出品者にとっては、予約時の金額Ａと販売された金額Ｂの差額に手数料を加えた額の負担により、キャンセル料金の金額Ｃの支払いを避けることがでる。すなわち、金額Ｃ−（金額Ａ−金額Ｂ）−手数料の金額を節約することができる。また購入者にとっては、金額Ａよりも廉価な金額Ｂで宿泊施設の宿泊に係る予約権利を入手できる。また、権利取得の手間は、自らが宿泊施設の予約をする場合と変わらずに行うことができる。宿泊施設にとっては、キャンセルによる空き室の発生や、直前キャンセルによる空き室の再予約を受け付けられないというリスクを低減することができる。
【００４９】
また、本実施形態において、仲介業者から宿泊施設への金額Ａの支払いをステップＳ１１１で行っているが、購入者の宿泊ステップＳ１１７の後に支払いを行っても構わない。例えば、仲介業者と宿泊施設が提携しており、複数の支払いをまとめて行うような場合には、支払い時期が宿泊後となる場合もあるためである。
【００５０】
なお、本実施形態の宿泊施設は必要に応じてＯＴＡと読み替えても良い。例えば、ステップＳ１０１において、出品者は、端末装置１１１ａから、ＯＴＡに対して、宿泊施設の宿泊予約を行っても構わない。ＯＴＡには宿泊施設から宿泊予約枠がサイトコントローラを介して分配されており、出品者は、宿泊予約枠の中から宿泊予約をすることができる。また、ステップＳ１０２において、ＯＴＡは、出品者に対して、宿泊予約情報を送信しても構わない。そして、ステップＳ１１４において、出品者はキャンセル料金である金額ＣをＯＴＡに対して支払っても構わない。そして、ＯＴＡから宿泊施設への宿泊料金又はキャンセル料の支払いを行っても構わない。このことにより、本実施形態を、宿泊予約をＯＴＡを介して行った出品者に対しても適用することができる。
【００５１】
（第２の実施形態）
以下、本発明の第２の実施形態について説明する。第２の実施形態は、出品者の宿泊予約時にクレジットカード番号を登録しておいて、購入者が予約権利を購入した場合に仲介業者から出品者への料金の支払いを行い、出品者から宿泊施設に対してクレジットカードの決済により宿泊料金の支払いが行われる方法である。
【００５２】
＜処理の流れ＞
第２の実施形態に係る仲介支援システム１の動作について、図４に示すフローチャートを参照しながら説明する。また、図４は、端末装置１１１ａを使用する出品者、宿泊施設予約システム１３１ａを使用する宿泊施設、仲介支援サーバ１２１を使用する仲介業者、端末装置１１１ｂを使用する購入者の各動作の関連状態をフローチャートに示している。
【００５３】
ステップＳ２０１において、出品者は、端末装置１１１ａから、宿泊施設の宿泊施設予約システム１３１ａに対して、ネットワーク１４１を介して宿泊施設の宿泊予約を行う。その際に、出品者は、宿泊予約の予約に係る金額Ａに対応するクレジットカード情報の登録をし、宿泊施設はクレジットカード決済の与信枠を確保する。
【００５４】
ステップＳ２０２において、宿泊施設は、宿泊施設予約システム１３１ａから、出品者に対して、宿泊予約情報を送信する。宿泊予約情報には予約日、予約人数、予約番号等の情報が含まれる。
【００５５】
ここで、出品者が予定の変更等により、宿泊予約をキャンセルせず転売したい事態が発生した場合について説明する。ステップＳ２０３において、出品者は、宿泊予約の予約権利を仲介業者に出品を行う。具体的には、出品者の端末装置１１１ａから、ネットワーク１４１を介して、仲介業者の仲介支援サーバ１２１に対して、予約権利情報を送信する。予約権利情報は、出品者個人を特定するための情報、予約番号、宿泊施設名、宿泊プラン、人数、出品期間、販売希望の金額Ｂ等を出品者が入力する。なお、出品者個人を特定するための情報は、出品者が都度入力する必要はなく、出品者が仲介業者に対して会員登録等を行うことにより、システムのログイン情報として仲介支援サーバ１２１の記憶部１２４が保持していても構わない。
【００５６】
次に、ステップＳ２０４において、仲介業者は、出品された予約権利の予約権利情報の審査を行う。具体的には、予約権利情報の内容、例えば予約の日付が既に過ぎていないか、又は、予約された宿泊施設が名義変更を受け付けるかどうか等について判断を行い、販売に不適切な場合はＮＧとしてステップＳ２０５に処理を進める。審査がＯＫである場合にはステップＳ２０７へ処理を進める。当該判断は、仲介支援サーバ１２１の制御部１２３が行っても構わないし、人が判断し、判断結果を仲介支援サーバ１２１に入力しても構わない。制御部１２３が判断を行う場合、記憶部１２４に記憶されている宿泊施設が名義変更を受け付けるかどうかの情報を参照する。
【００５７】
ステップＳ２０５において、仲介業者は、出品された予約権利情報の審査結果がＮＧである旨を出品者に通知を行う。具体的には、仲介支援サーバ１２１は、出品者の使用する端末装置１１１ａに対して審査結果ＮＧの情報を送信する。
【００５８】
ステップＳ２０６において、端末装置１１１ａは、審査結果情報がＮＧかどうかを判別する。判別の結果、審査結果情報がＮＧの場合は、ステップＳ２１４へ処理を進める。審査結果情報がＮＧでない場合、すなわちＯＫである場合にはステップＳ２１３へ処理を進める。
【００５９】
ステップＳ２０７において、仲介支援サーバ１２１の制御部１２３は、出品審査がＯＫとなった予約権利情報を記憶部１２４に記憶する。記憶された予約権利情報は、図３で示す出品リストとして構成され、ネットワーク１４１を介してＷＥＢ上で公開される。そのため、購入者は端末装置１１１ｂから出品リストの内容を確認することができる。
【００６０】
ステップＳ２０８において、購入者は、出品リストから希望する予約権利についての購入を行うことができる。具体的には、購入者が使用する端末装置１１１ｂから出品リストに出品されている予約権利を選択する。購入に際しては、金額Ｂを仲介業者に支払う。支払い方法は、現金でも振り込みでも、クレジットカードによる決済でも構わない。
【００６１】
ステップＳ２０９において、仲介支援サーバ１２１の制御部１２３は、購入者の有無を判別する。公開された出品リストに対して、購入者があればステップＳ２１０へ処理を進める。出品者が設定した出品期間内に購入者がない場合は処理を終了する。購入者がいなかった情報を出品者に送信しても構わない。
【００６２】
ステップＳ２１０において、仲介支援サーバ１２１は、出品者へ購入者があった旨の販売情報の通知を行う。具体的には、制御部１２３は、通信部１２２を介して販売情報を端末装置１１１ａへ送信する。
【００６３】
ステップＳ２１１において、仲介業者は、宿泊施設に対して購入された予約権利の予約者の名義を、ステップＳ２０８で予約権利を購入した購入者の名義への変更を要求する。具体的には、仲介支援サーバ１２１は、名義変更要求の指示をシステム端末１２５に表示しても構わない。名義変更要求の指示を見た仲介業者の職員が電話等で宿泊施設に連絡を行っても構わない。
【００６４】
ステップＳ２１２において、宿泊施設は、仲介業者からの名義変更要求に基づいて、予約権利の名義人の変更を行う。具体的には、宿泊施設予約システム１３１ａにおける予約名義を、仲介業者から送信又は連絡された予約権利の購入者への変更を行う。名義変更は、仲介支援サーバ１２１から宿泊施設予約システム１３１ａにネットワーク１４１を介して電気的に行ってもよいし、仲介業者の職員からの電話等による連絡で宿泊施設の職員が行っても構わない。
【００６５】
ステップＳ２１３において、出品者は出品期間内に購入者の有無の判別を行う。具体的には、端末装置１１１ａは、購入者の有無について判別し、結果を端末装置１１１ａに表示する。購入者が無かった場合はステップＳ２１４へ進み、購入者があった場合にはステップＳ２１６へ進める。購入者は、購入者が無いと認識した場合、当初の予定通り、宿泊施設での宿泊を行っても構わない。
【００６６】
ステップＳ２１４において、出品者はキャンセル料金である金額Ｃを宿泊施設に対して支払う。宿泊施設は、出品者から予約に係る金額Ａの与信枠を確保しているため、金額Ａ以下であるキャンセル料を与信枠から引き落とすことができる。
【００６７】
ステップＳ２１５において、購入者は、宿泊施設において、予約権利の内容に基づいて宿泊を行うことができる。ステップＳ２１２において、宿泊者の名義は購入者に変更となっており、また宿泊料金は、ステップＳ２０１において、宿泊施設に、出品者から既に金額Ａの与信枠の確保が行われているため、購入者は、何らの手間を要することなく、宿泊施設に宿泊をすることができる
【００６８】
ステップＳ２１６において、仲介業者は、出品者に対して出品の対価の支払いを行う。支払いの金額は、ステップＳ２０８で販売された金額Ｂから手数料を引いた額である。仲介業者は、購入者が宿泊できたことを確認した上で支払いを行っても構わない。それにより、出品者が、予約権利を出品したにも関わらず、宿泊施設に対してキャンセルを行われていないことを保証することができる。
【００６９】
ステップＳ２１７において、出品者から宿泊施設に対して、ステップＳ２０１で確保された与信枠に基づいて金額Ａのクレジットカードの引落としが行われる。
【００７０】
＜効果の説明＞
以上のように、本発明第２の実施形態に係る仲介支援システムによれば、出品者は最初の宿泊施設への予約の時点でクレジットカードに対しての与信枠が確保されているため、出品者から宿泊施設への支払いが確実に行われる。また、仲介業者から出品者に対しての支払いを、購入者が宿泊したことを確認した上で行うことで、出品者が予約権利を出品したにも関わらず、宿泊施設に対してキャンセルを行われていないことを保証することができる。
【００７１】
なお、本実施形態では、ステップＳ２０１でカードの与信枠を確保しているが、ステップＳ２０１の時点で即時決済を行い、金額Ａの引落しを行っても構わない。その場合、ステップＳ２１７の引落しは発生しない。またキャンセルを行った場合、ステップＳ２１４でのキャンセル料である金額Ｃの引落しは行われず、宿泊施設から金額Ａから金額Ｃを引いた額の払い戻しを行っても構わない。
【００７２】
なお、本実施形態の宿泊施設は必要に応じてＯＴＡと読み替えても良い。例えば、ステップＳ２０１において、出品者は、端末装置１１１ａから、ＯＴＡに対して、宿泊施設の宿泊予約を行っても構わない。ＯＴＡには宿泊施設から宿泊予約枠がサイトコントローラを介して分配されており、出品者は、宿泊予約枠の中から宿泊予約をすることができる。その際に、出品者は、宿泊予約の予約に係る金額Ａに対応するクレジットカード情報の登録をし、ＯＴＡはクレジットカード決済の与信枠を確保する。また、ステップＳ２０２において、ＯＴＡは、出品者に対して、宿泊予約情報を送信しても構わない。そして、ステップＳ２１６において、出品者はキャンセル料金である金額ＣをＯＴＡに対して支払っても構わない。ＯＴＡは、出品者から予約に係る金額Ａの与信枠を確保しているため、金額Ａ以下であるキャンセル料を与信枠から引き落とすことができる。また、ステップＳ２１７において、出品者からＯＴＡに対して、ステップＳ２０１で確保された与信枠に基づいて金額Ａのクレジットカードの引落としが行っても構わない。そして、ＯＴＡから宿泊施設への宿泊料金又はキャンセル料の支払いを行っても構わない。このことにより、本実施形態を、宿泊予約をＯＴＡを介して行った出品者に対しても適用することができる。
【００７３】
（第３の実施形態）
以下、本発明の第３の実施形態について説明する。第３の実施形態は、出品者の宿泊予約時には出品者からの料金の支払いを行わず、購入者が予約権利を購入した場合に出品者から仲介業者への料金の支払いを行い、購入者から宿泊施設に対して宿泊時に宿泊料金の支払い、仲介業者から購入者へ料金の支払い（キャッシュバック）が行われる方法である。
【００７４】
＜処理の流れ＞
第３の実施形態に係る仲介支援システム１の動作について、図５に示すフローチャートを参照しながら説明する。また、図５は、端末装置１１１ａを使用する出品者、宿泊施設予約システム１３１ａを使用する宿泊施設、仲介支援サーバ１２１を使用する仲介業者、端末装置１１１ｂを使用する購入者の各動作の関連状態をフローチャートに示している。
【００７５】
ステップＳ３０１において、出品者は、端末装置１１１ａから、宿泊施設の宿泊施設予約システム１３１ａに対して、ネットワーク１４１を介して宿泊施設の宿泊予約を行う。
【００７６】
ステップＳ３０２において、宿泊施設は、宿泊施設予約システム１３１ａから、出品者に対して、宿泊予約情報を送信する。宿泊予約情報には予約日、予約人数、予約番号等の情報が含まれる。
【００７７】
ここで、出品者が予定の変更等により、宿泊予約をキャンセルせず転売したい事態が発生した場合について説明する。ステップＳ３０３において、出品者は、宿泊予約の予約権利を仲介業者に出品を行う。具体的には、出品者の端末装置１１１ａから、ネットワーク１４１を介して、仲介業者の仲介支援サーバ１２１に対して、予約権利情報を送信する。予約権利情報は、予約権利に関する出品者個人を特定するための情報、予約番号、宿泊施設名、宿泊プラン、人数、出品期間、予約に係る金額Ａ(宿泊の定価金額)、販売希望の金額Ｂ(販売希望金額)、料金支払い方法等の情報であり、出品者が入力する。その際に、出品者は、後述する仲介業者への支払いに対応するクレジットカード情報の登録をし、仲介業者はクレジットカード決済の与信枠を確保する。なお、出品者個人を特定するための情報は、出品者が都度入力する必要はなく、出品者が仲介業者に対して会員登録等を行うことにより、システムのログイン情報として仲介支援サーバ１２１の記憶部１２４が保持していても構わない。
【００７８】
次に、ステップＳ３０４において、仲介業者は、出品された予約権利の予約権利情報の審査を行う。具体的には、予約権利情報の内容、例えば予約の日付が既に過ぎていないか、又は、予約された宿泊施設が名義変更を受け付けるかどうか等について判断を行い、販売に不適切な場合はＮＧとしてステップＳ３０５に処理を進める。審査がＯＫである場合にはステップＳ３０７へ処理を進める。当該判断は、仲介支援サーバ１２１の制御部１２３が行っても構わないし、人が判断し、判断結果を仲介支援サーバ１２１に入力しても構わない。制御部１２３が判断を行う場合、記憶部１２４に記憶されている宿泊施設が名義変更を受け付けるかどうかの情報を参照する。
【００７９】
ステップＳ３０５において、仲介業者は、出品された予約権利情報の審査結果がＮＧである旨を出品者に通知を行う。具体的には、仲介支援サーバ１２１は、出品者の使用する端末装置１１１ａに対して審査結果ＮＧの情報を送信する。
【００８０】
ステップＳ３０６において、端末装置１１１ａは、審査結果情報がＮＧかどうかを判別する。判別の結果、審査結果情報がＮＧの場合は、ステップＳ３１４へ処理を進める。審査結果情報がＮＧでない場合、すなわちＯＫである場合にはステップＳ３１３へ処理を進める。
【００８１】
ステップＳ３０７において、仲介支援サーバ１２１の制御部１２３は、出品審査がＯＫとなった予約権利情報を記憶部１２４に記憶する。記憶された予約権利情報は、出品リストとして構成され、ネットワーク１４１を介してＷＥＢ上で公開される。そのため、購入者は端末装置１１１ｂから出品リストの内容を確認することができる。
【００８２】
ステップＳ３０８において、購入者は、出品リストから希望する予約権利についての購入を行うことができる。具体的には、購入者が使用する端末装置１１１ｂから出品リストに出品されている予約権利を選択する。購入に際しては、金額の支払いは発生しない。ただし、クレジットカード番号の登録を要求し、ステップＳ３１７において宿泊、支払いが行われない場合の宿泊料金に相当する金額Ａに対する与信枠を確保しておいても構わない。
【００８３】
ステップＳ３０９において、仲介支援サーバ１２１の制御部１２３は、購入者の有無を判別する。公開された出品リストに対して、購入者があればステップＳ３１０へ処理を進める。出品者が設定した出品期間内に購入者がない場合は処理を終了する。購入者がいなかった情報を出品者に送信しても構わない。
【００８４】
ステップＳ３１０において、仲介支援サーバ１２１は、出品者へ購入者があった旨の販売情報の通知を行う。具体的には、制御部１２３は、通信部１２２を介して販売情報を端末装置１１１ａへ送信する。
【００８５】
ステップＳ３１１において、仲介業者は、宿泊施設に対して購入された予約権利の予約者の名義を、ステップ３０８で予約権利を購入した購入者の名義への変更を要求する。具体的には、仲介支援サーバ１２１は、名義変更要求の指示をシステム端末１２５に表示しても構わない。名義変更要求の指示を見た仲介業者の職員が電話等で宿泊施設に連絡を行っても構わない。
【００８６】
ステップＳ３１２において、宿泊施設は、仲介業者からの名義変更要求に基づいて、予約権利の名義人の変更を行う。具体的には、宿泊施設予約システム１３１ａにおける予約名義を、仲介業者から送信又は連絡された予約権利の購入者への変更を行う。名義変更は、仲介支援サーバ１２１から宿泊施設予約システム１３１ａにネットワーク１４１を介して電気的に行ってもよいし、仲介業者の職員からの電話等による連絡で宿泊施設の職員が行っても構わない。
【００８７】
ステップＳ３１３において、出品者は出品期間内に購入者の有無の判別を行う。具体的には、端末装置１１１ａは、購入者の有無について判別し、結果を端末装置１１１ａに表示する。購入者が無かった場合はステップＳ３１４へ進み、購入者があった場合にはステップＳ３１６へ進める。購入者は、購入者が無いと認識した場合、当初の予定通り、宿泊施設での宿泊を行っても構わない。
【００８８】
ステップＳ３１４において、出品者はキャンセル料金である金額Ｃを宿泊施設に対して支払う。
【００８９】
ステップＳ３１５において、ステップＳ３１１で宿泊施設に対して名義変更の要求を行った仲介業者は、出品者に対して支払い要求を行う。この際、請求金額は、金額Ｄに手数料を加算した額（金額Ｄ＋手数料）である。金額Ｄは後述するキャッシュバックの額であり、宿泊予約の予約に係る金額Ａから販売希望価格である金額Ｂを引いた額に相当する（金額Ｄ＝金額Ａ−金額Ｂ）。具体的には、仲介支援サーバ１２１は、出品者の端末装置１１１ａに支払い請求情報を送信する。この送信方法は、電子メール等を用いても構わない。
【００９０】
ステップＳ３１６において、出品者は仲介業者に対して、ステップＳ３１５で請求された金額Ｄに手数料を加算した金額の支払いを行う。支払い方法は、ステップＳ３０３で登録されたクレジットカードの与信枠に基づいて決済することにより引落を行う。
【００９１】
ステップＳ３１７において、購入者は、宿泊施設において、購入した予約権利の内容に基づいて宿泊を行うことができる。ステップＳ３１２において、宿泊者の名義は購入者に変更となっている。購入者は、宿泊施設において、宿泊料金である金額Ａの支払いを行う。購入者が、宿泊、支払いを行わない場合、ステップＳ３０８で登録したクレジットカードの与信枠に基づいて金額Ａの回収を行っても構わない。
【００９２】
ステップＳ３１８において、仲介業者は購入者に対して、ステップＳ３１６で出品者から支払われた金額Ｄを、キャッシュバックとして支払いを行う。キャッシュバックは、実際の宿泊が行われたことを確認して支払いを行っても構わない。
【００９３】
＜効果の説明＞
以上のように、本発明第３の実施形態に係る仲介支援システムによれば、予約権利の購入者が、宿泊施設において宿泊料金の支払いを行うため、カード決済等を受け付けない宿泊施設に対しても本システムを使用することができる。
【００９４】
なお、本実施形態の宿泊施設は必要に応じてＯＴＡと読み替えても良い。例えば、ステップＳ３０１において、出品者は、端末装置１１１ａから、ＯＴＡに対して、宿泊施設の宿泊予約を行っても構わない。ＯＴＡには宿泊施設から宿泊予約枠がサイトコントローラを介して分配されており、出品者は、宿泊予約枠の中から宿泊予約をすることができる。また、ステップＳ３０２において、ＯＴＡは、出品者に対して、宿泊予約情報を送信しても構わない。そして、ステップＳ３１４において、出品者はキャンセル料金である金額ＣをＯＴＡに対して支払っても構わない。そして、ＯＴＡから宿泊施設への宿泊料金又はキャンセル料の支払いを行っても構わない。このことにより、本実施形態を、宿泊予約をＯＴＡを介して行った出品者に対しても適用することができる。
【００９５】
（第４の実施形態）
以下、本発明の第４の実施形態について説明する。第４の実施形態は、出品者の宿泊予約時にクレジットカード番号を登録しておいて、購入者による予約権利を購入の有無にかかわらず仲介業者から出品者への料金の支払いを行い、出品者から宿泊施設に対してクレジットカードの決済により宿泊料金の支払いが行われる方法である。すなわち、予約権利を出品者から仲介業者が買い取り保証を行う方法である。予約権利情報に含まれる料金支払い方法の情報において、出品者が買い取りを希望することにより本実施形態が選択される。
【００９６】
＜処理の流れ＞
第４の実施形態に係る仲介支援システム１の動作について、図６に示すフローチャートを参照しながら説明する。また、図６は、端末装置１１１ａを使用する出品者、宿泊施設予約システム１３１ａを使用する宿泊施設、仲介支援サーバ１２１を使用する仲介業者、端末装置１１１ｂを使用する購入者の各動作の関連状態をフローチャートに示している。
【００９７】
ステップＳ４０１において、出品者は、端末装置１１１ａから、宿泊施設の宿泊施設予約システム１３１ａに対して、ネットワーク１４１を介して宿泊施設の宿泊予約を行う。その際に、出品者は、宿泊予約の予約に係る金額Ａに対応するクレジットカード情報の登録をし、宿泊施設はクレジットカード決済の与信枠を確保する。
【００９８】
ステップＳ４０２において、宿泊施設は、宿泊施設予約システム１３１ａから、出品者に対して、宿泊予約情報を送信する。宿泊予約情報には予約日、予約人数、予約番号等の情報が含まれる。
【００９９】
ここで、出品者が予定の変更等により、宿泊予約をキャンセルせず転売したい事態が発生した場合について説明する。ステップＳ４０３において、出品者は、宿泊予約の予約権利を仲介業者に出品を行う。具体的には、出品者の端末装置１１１ａから、ネットワーク１４１を介して、仲介業者の仲介支援サーバ１２１に対して、予約権利の予約権利情報を送信する。予約権利情報は、予約権利に関する出品者個人を特定するための情報、予約番号、宿泊施設名、宿泊プラン、人数、出品期間、予約に係る金額Ａ(宿泊の定価金額)、買い取り希望の金額Ｅ(仲介業者に対する販売希望金額)、料金支払い方法等の情報であり、出品者が入力する。なお、出品者個人を特定するための情報は、出品者が都度入力する必要はなく、出品者が仲介業者に対して会員登録等を行うことにより、システムのログイン情報として仲介支援サーバ１２１の記憶部１２４が保持していても構わない。
【０１００】
次に、ステップＳ４０４において、仲介業者は、出品された予約権利情報の審査を行う。具体的には、予約権利の情報の内容、例えば予約の日付が既に過ぎていないか、買い取り希望金額が妥当かどうか、又は予約された宿泊施設が名義変更を受け付けるかどうか等について判断を行い、販売に不適切な場合はＮＧとしてステップＳ４０５に処理を進める。審査がＯＫである場合にはステップＳ４０７へ処理を進める。当該判断は、仲介支援サーバ１２１の制御部１２３が行っても構わないし、人が判断し、判断結果を仲介支援サーバ１２１に入力しても構わない。制御部１２３が判断を行う場合、記憶部１２４に記憶されている宿泊施設が名義変更を受け付けるかどうかの情報を参照する。
【０１０１】
ステップＳ４０５において、仲介業者は、出品された予約権利情報の審査結果がＮＧである旨を出品者に通知を行う。具体的には、仲介支援サーバ１２１は、出品者の使用する端末装置１１１ａに対して審査結果ＮＧの情報を送信する。
【０１０２】
ステップＳ４０６において、端末装置１１１ａは、審査結果情報がＮＧかどうかを判別する。判別の結果、審査結果情報がＮＧの場合は、ステップＳ４１３へ処理を進める。審査結果情報がＮＧでない場合、すなわちＯＫである場合にはステップＳ４１５へ処理を進める。
【０１０３】
ステップＳ４０７において、仲介支援サーバ１２１の制御部１２３は、出品審査がＯＫとなった予約権利情報を記憶部１２４に記憶する。記憶された予約権利情報は出品リストとして構成され、ネットワーク１４１を介してＷＥＢ上で公開される。そのため、購入者は端末装置１１１ｂから出品リストの内容を確認することができる。この際、販売希望価格は、仲介業者が設定した金額Ｂである。
【０１０４】
ステップＳ４０８において、購入者は、出品リストから希望する予約権利についての購入を行うことができる。具体的には、購入者が使用する端末装置１１１ｂから出品リストに出品されている予約権利を選択する。購入に際しては、金額Ｂを仲介業者に支払う。支払い方法は、現金でも振り込みでも、クレジットカードによる決済でも構わない。
【０１０５】
ステップＳ４０９において、仲介支援サーバ１２１の制御部１２３は、購入者の有無を判別する。公開された出品リストに対して、購入者があればステップＳ４１０へ処理を進める。購入者がなければステップＳ４１４へ処理を進める。
【０１０６】
ステップＳ４１０において、仲介業者は、宿泊施設に対して購入された予約権利の予約者の名義を、ステップＳ４０８で予約権利を購入した購入者の名義への変更を要求する。具体的には、仲介支援サーバ１２１は、名義変更要求の指示をシステム端末１２５に表示しても構わない。名義変更要求の指示を見た仲介業者の職員が電話等で宿泊施設に連絡を行っても構わない。
【０１０７】
ステップＳ４１１において、宿泊施設は、仲介業者からの名義変更要求に基づいて、予約権利の名義人の変更を行う。具体的には、宿泊施設予約システム１３１ａにおける予約名義を、仲介業者から送信又は連絡された予約権利の購入者への変更を行う。名義変更は、仲介支援サーバ１２１から宿泊施設予約システム１３１ａにネットワーク１４１を介して電気的に行ってもよいし、仲介業者の職員からの電話等による連絡で宿泊施設の職員が行っても構わない。
【０１０８】
ステップＳ４１２において、出品者はキャンセル料金である金額Ｃを宿泊施設に対して支払う。宿泊施設は、出品者から予約に係る金額Ａの与信枠を確保しているため、金額Ａ以下であるキャンセル料を与信枠から引き落とすことができる。
【０１０９】
ステップＳ４１３において、購入者は、宿泊施設において、予約権利の内容に基づいて宿泊を行うことができる。ステップＳ４１１において、宿泊者の名義は購入者に変更となっており、また宿泊料金は、ステップＳ４０１において、宿泊施設に、出品者から既に金額Ａの与信枠の確保が行われているため、購入者は、何らの手間を要することなく、宿泊施設に宿泊をすることができる
【０１１０】
ステップＳ４１４において、仲介業者は、出品者に対して出品の対価の支払いを行う。支払いの金額は、ステップＳ４０８で販売された買い取り希望の金額Ｅである。この金額は、買い取り希望の金額Ｅから所定の料金等を引いた金額でも構わない。仲介業者は、購入者が宿泊できたことを確認した上で支払いを行っても構わない。それにより、出品者が、予約権利を出品したにも関わらず、宿泊施設に対してキャンセルを行われていないことを保証することができる。
【０１１１】
ステップＳ４１５において、出品者から宿泊施設に対して、ステップＳ４０１で確保された与信枠に基づいて金額Ａのクレジットカードの引落としが行われる。
【０１１２】
＜効果の説明＞
以上のように、本発明第４の実施形態に係る仲介支援システムによれば、出品の審査がＯＫとなれば、出品者は購入者の有無にかかわらず予約権利の売却が保証される。そのため、出品者は、予約権利が売れ残る心配をする必要がない。また、仲介業者は売れ残りのリスクの代わりに、出品者への支払い金額を廉価にすることができる。
【０１１３】
なお、本実施形態では、出品者から仲介業者に対して買い取りの要求をしているが、出品者から予約権利の出品があったときに、仲介業者から買い取りの要求を行っても構わない。
【０１１４】
なお、本実施形態の宿泊施設は必要に応じてＯＴＡと読み替えても良い。例えば、ステップＳ４０１において、出品者は、端末装置１１１ａから、ＯＴＡに対して、宿泊施設の宿泊予約を行っても構わない。ＯＴＡには宿泊施設から宿泊予約枠がサイトコントローラを介して分配されており、出品者は、宿泊予約枠の中から宿泊予約をすることができる。その際に、出品者は、宿泊予約の予約に係る金額Ａに対応するクレジットカード情報の登録をし、ＯＴＡはクレジットカード決済の与信枠を確保する。また、ステップＳ４０２において、ＯＴＡは、出品者に対して、宿泊予約情報を送信しても構わない。そして、ステップＳ４１２において、出品者はキャンセル料金である金額ＣをＯＴＡに対して支払っても構わない。ＯＴＡは、出品者から予約に係る金額Ａの与信枠を確保しているため、金額Ａ以下であるキャンセル料を与信枠から引き落とすことができる。また、ステップＳ４１５において、出品者からＯＴＡに対して、ステップＳ４０１で確保された与信枠に基づいて金額Ａのクレジットカードの引落としが行っても構わない。そして、ＯＴＡから宿泊施設への宿泊料金又はキャンセル料の支払いを行っても構わない。このことにより、本実施形態を、宿泊予約をＯＴＡを介して行った出品者に対しても適用することができる。
【０１１５】
（第５の実施形態）
以下、本発明の第５の実施形態について説明する。第５の実施形態は、出品者の宿泊予約時にクレジットカード番号を登録しておいて、出品者からの出品を仲介業者が審査承認した時点で出品者に料金の支払いを行い、出品者から宿泊施設に対してクレジットカードの決済により宿泊料金の支払いが行われる方法である。すなわち、予約権利を出品者から仲介業者が買い取りを行う方法である。予約権利情報に含まれる料金支払い方法の情報において、出品者が買い取りを希望することにより本実施形態が選択される。
【０１１６】
＜処理の流れ＞
第５の実施形態に係る仲介支援システム１の動作について、図７に示すフローチャートを参照しながら説明する。また、図７は、端末装置１１１ａを使用する出品者、宿泊施設予約システム１３１ａを使用する宿泊施設、仲介支援サーバ１２１を使用する仲介業者、端末装置１１１ｂを使用する購入者の各動作の関連状態をフローチャートに示している。
【０１１７】
ステップＳ５０１において、出品者は、端末装置１１１ａから、宿泊施設の宿泊施設予約システム１３１ａに対して、ネットワーク１４１を介して宿泊施設の宿泊予約を行う。その際に、出品者は、宿泊予約の予約に係る金額Ａに対応するクレジットカード情報の登録をし、宿泊施設はクレジットカード決済の与信枠を確保する。
【０１１８】
ステップＳ５０２において、宿泊施設は、宿泊施設予約システム１３１ａから、出品者に対して、宿泊予約情報を送信する。宿泊予約情報には予約日、予約人数、予約番号等の情報が含まれる。
【０１１９】
ここで、出品者が予定の変更等により、宿泊予約をキャンセルせず転売したい事態が発生した場合について説明する。ステップＳ５０３において、出品者は、宿泊予約の予約権利を仲介業者に出品を行う。具体的には、出品者の端末装置１１１ａから、ネットワーク１４１を介して、仲介業者の仲介支援サーバ１２１に対して、予約権利の予約権利情報を送信する。予約権利情報は、予約権利に関する出品者個人を特定するための情報、予約番号、宿泊施設名、宿泊プラン、人数、出品期間、予約に係る金額Ａ(宿泊の定価金額)、買い取り希望の金額Ｅ（仲介業者に対する販売希望金額）、料金支払い方法等の情報であり、出品者が入力する。なお、出品者個人を特定するための情報は、出品者が都度入力する必要はなく、出品者が仲介業者に対して会員登録等を行うことにより、システムのログイン情報として仲介支援サーバ１２１の記憶部１２４が保持していても構わない。
【０１２０】
次に、ステップＳ５０４において、仲介業者は、出品された予約権利情報の審査を行う。具体的には、予約権利の情報の内容、例えば予約の日付が既に過ぎていないか、買い取り希望金額が妥当かどうか、又は予約された宿泊施設が名義変更を受け付けるかどうか等について判断を行い、販売に不適切な場合はＮＧとしてステップＳ５０５に処理を進める。審査がＯＫである場合にはステップＳ５０７へ処理を進める。当該判断は、仲介支援サーバ１２１の制御部１２３が行っても構わないし、人が判断し、判断結果を仲介支援サーバ１２１に入力しても構わない。制御部１２３が判断を行う場合、記憶部１２４に記憶されている宿泊施設が名義変更を受け付けるかどうかの情報を参照する。
【０１２１】
ステップＳ５０５において、仲介業者は、出品された予約権利情報の審査結果がＮＧである旨を出品者に通知を行う。具体的には、仲介支援サーバ１２１は、出品者の使用する端末装置１１１ａに対して審査結果ＮＧの情報を送信する。
【０１２２】
ステップＳ５０６において、端末装置１１１ａは、審査結果情報がＮＧかどうかを判別する。判別の結果、審査結果情報がＮＧの場合は、ステップＳ５１３へ処理を進める。審査結果情報がＮＧでない場合、すなわちＯＫである場合にはステップＳ５１５へ処理を進める。
【０１２３】
ステップＳ５０７において、仲介業者は、出品者に対して、クレジットカード番号の登録を要求することにより、予約金額Ａに相当する与信枠の確保を行う。仲介業者は、与信枠が確保できたことを条件として、出品者に対して出品の対価の支払いを行う。支払いの金額は、出品者の買い取り希望の金額Ｅである。この金額は、買い取り希望の金額Ｅから所定の料金等を引いた金額でも構わない。仲介業者は、出品者から宿泊予約金額Ａの与信枠を確保しているため、出品者が予約権利の販売を行ったにもかかわらず宿泊施設に対してキャンセルを行った場合に、与信枠から金額Ａの引落としを行い、購入者への補償に充てることができる。
【０１２４】
ステップＳ５０８において、仲介支援サーバ１２１の制御部１２３は、出品審査がＯＫとなった予約権利情報を記憶部１２４に記憶する。記憶された予約権利情報は出品リストとして構成され、ネットワーク１４１を介してＷＥＢ上で公開される。そのため、購入者は端末装置１１１ｂから出品リストの内容を確認することができる。この際、販売希望価格は、仲介業者が設定した金額Ｂである。
【０１２５】
ステップＳ５０９において、購入者は、出品リストから希望する予約権利についての購入を行うことができる。具体的には、購入者が使用する端末装置１１１ｂから出品リストに出品されている予約権利を選択する。購入に際しては、金額Ｂを仲介業者に支払う。支払い方法は、現金でも振り込みでも、クレジットカードによる決済でも構わない。
【０１２６】
ステップＳ５１０において、仲介支援サーバ１２１の制御部１２３は、購入者の有無を判別する。公開された出品リストに対して、購入者があればステップＳ５１１へ処理を進める。購入者がなければ処理を終了する。
【０１２７】
ステップＳ５１１において、仲介業者は、宿泊施設に対して購入された予約権利の予約者の名義を、ステップＳ５０９で予約権利を購入した購入者の名義への変更を要求する。具体的には、仲介支援サーバ１２１は、名義変更要求の指示をシステム端末１２５に表示しても構わない。名義変更要求の指示を見た仲介業者の職員が電話等で宿泊施設に連絡を行っても構わない。
【０１２８】
ステップＳ５１２において、宿泊施設は、仲介業者からの名義変更要求に基づいて、予約権利の名義人の変更を行う。具体的には、宿泊施設予約システム１３１ａにおける予約名義を、仲介業者から送信又は連絡された予約権利の購入者への変更を行う。名義変更は、仲介支援サーバ１２１から宿泊施設予約システム１３１ａにネットワーク１４１を介して電気的に行ってもよいし、仲介業者の職員からの電話等による連絡で宿泊施設の職員が行っても構わない。
【０１２９】
ステップＳ５１３において、出品者はキャンセル料金である金額Ｃを宿泊施設に対して支払う。宿泊施設は、出品者から予約に係る金額Ａの与信枠を確保しているため、金額Ａ以下であるキャンセル料を与信枠から引き落とすことができる。
【０１３０】
ステップＳ５１４において、購入者は、宿泊施設において、予約権利の内容に基づいて宿泊を行うことができる。ステップＳ５１２において、宿泊者の名義は購入者に変更となっており、また宿泊料金は、ステップＳ５０１において、宿泊施設に、出品者から既に金額Ａの与信枠の確保が行われているため、購入者は、何らの手間を要することなく、宿泊施設に宿泊をすることができる
【０１３１】
ステップＳ５１５において、出品者から宿泊施設に対して、ステップＳ５０１で確保された与信枠に基づいて金額Ａのクレジットカードの引落としが行われる。
【０１３２】
＜効果の説明＞
以上のように、本発明第５の実施形態に係る仲介支援システムによれば、出品の審査がＯＫとなれば、出品者は予約権利の売却を完了することができ対価を速やかに受けることができる。仲介業者は、出品者に対して与信枠の確保を条件として対価の支払いを行うため、出品者が予約権利の売却をしたにもかかわらず、予約権利のキャンセルを行った場合に、与信枠から購入者への補償金を得ることができる。
【０１３３】
なお、本実施形態では、出品者から仲介業者に対して買い取りの要求をしているが、出品者から予約権利の出品があったときに、仲介業者から買い取りの要求を行っても構わない。
【０１３４】
なお、本実施形態の宿泊施設は必要に応じてＯＴＡと読み替えても良い。例えば、ステップＳ５０１において、出品者は、端末装置１１１ａから、ＯＴＡに対して、宿泊施設の宿泊予約を行っても構わない。ＯＴＡには宿泊施設から宿泊予約枠がサイトコントローラを介して分配されており、出品者は、宿泊予約枠の中から宿泊予約をすることができる。その際に、出品者は、宿泊予約の予約に係る金額Ａに対応するクレジットカード情報の登録をし、ＯＴＡはクレジットカード決済の与信枠を確保する。また、ステップＳ５０２において、ＯＴＡは、出品者に対して、宿泊予約情報を送信しても構わない。そして、ステップＳ５１２において、出品者はキャンセル料金である金額ＣをＯＴＡに対して支払っても構わない。ＯＴＡは、出品者から予約に係る金額Ａの与信枠を確保しているため、金額Ａ以下であるキャンセル料を与信枠から引き落とすことができる。また、ステップＳ４１５において、出品者からＯＴＡに対して、ステップＳ５０１で確保された与信枠に基づいて金額Ａのクレジットカードの引落としが行っても構わない。そして、ＯＴＡから宿泊施設への宿泊料金又はキャンセル料の支払いを行っても構わない。このことにより、本実施形態を、宿泊予約をＯＴＡを介して行った出品者に対しても適用することができる。
【０１３５】
（第６の実施形態）
以下、本発明の第６の実施形態について説明する。第６の実施形態は、出品者がＯＴＡ（Ｏｎｌｉｎｅ  Ｔｒａｖｅｌ  Ａｇｅｎｔ＝オンラインの旅行代理店）に対して宿泊予約時にクレジットカード番号を登録しておいて、購入者が予約権利を購入した場合に仲介業者から出品者への料金の支払いを行う。出品者からＯＴＡに対してクレジットカードの決済により料金の支払いが行われ、ＯＴＡから宿泊施設に対して宿泊料金の支払いが行われる方法である。
【０１３６】
＜構成＞
まず、図８を用いて第６の実施形態における予約権利の譲渡を行うための情報を管理する仲介支援サーバ１２１を含む、仲介支援システム２の構成及びその概要について説明する。なお、図５は、本実施形態の仲介支援システム２のブロック図である。
【０１３７】
本実施形態の仲介支援システム２は、図８に示すように、端末装置１１１ａ〜１１１ｃ(以下まとめて端末装置１１１とする)、仲介支援サーバ１２１と宿泊施設予約システム１３１ａ〜１３１ｃ（以下まとめて宿泊施設予約システム１３１とする）、ＯＴＡサーバとが、例えばインターネットやＬＡＮ等のネットワーク１４１に接続可能に構成されている。また仲介支援サーバを操作するためのシステム端末１２５が仲介支援サーバ１２１と接続されている。システム端末１２５はネットワーク１４１を介して仲介支援サーバ１２１に接続されていても構わない。
【０１３８】
端末装置１１１は、ユーザが使用するための装置である。ユーザは端末装置１１１を用いて、宿泊施設の予約を行ったり、宿泊施設の宿泊予約の権利を売却したり、購入したりすることができる。すなわちユーザは、本システムにおける出品者であり購入者である。
【０１３９】
仲介支援サーバ１２１は、仲介業者が、ユーザが売却や購入を希望する宿泊予約の権利情報の管理を行うサーバである。仲介支援サーバ１２１は、通信部１２２と制御部１２３と記憶部１２４から構成される。また、仲介支援サーバは、仲介支援サーバ１２１の操作を行うためのシステム端末１２５が接続されている。システム端末１２５は、仲介支援サーバ１２５と直接接続されていてもよいし、ネットワーク１４１を介して接続されていても構わない。
【０１４０】
通信部１２２は、ネットワーク１４１を介して端末装置１１１と通信を行う通信インタフェースである。通信部１２２は、端末装置１１１からの予約権利の出品情報を受信したり、販売対象である予約権利情報の一覧をインターネット上に配信し、端末装置１１１から閲覧可能にする。また、端末装置１１１からの購入要求の送受信を行う。
【０１４１】
制御部１２３は、通信部１２２を介して受信した予約権利の出品情報を後述する記憶部１２４への記憶を行う。制御部１２３は、出品情報の内容の審査を行う。例えば、受信した出品情報の予約権利の日付が、既に過ぎた日付であるなど、販売に不適当である場合には、不適当であると判別を行う。また、仲介業者の職員に対しての、作業指示の生成を行う。作業指示は、具体的には、名義変更の支持や、料金の支払い等の作業についてであり、支払い金額等の情報が含まれる。制御部１２３は、作業指示を仲介端末サーバに接続されたシステム端末１２５に通信部１２２を介して発行し、システム端末１２５で表示されることにより、仲介業者の職員が作業指示の内容を認識することができる。
【０１４２】
記憶部１２４は、通信部１２２を介して受信した、予約権利の出品情報の記憶を行う。また予約権利の出品情報に基づいて、販売対象である予約権利情報の一覧の記憶を行う。また、記憶部１２４は、予約権利の出品を希望する者や、購入を希望する者の個人情報の記憶を行う。また、予約権利の対象である宿泊施設が宿泊者の名義変更を受け付けるかどうかの情報の記憶を行う。
【０１４３】
システム端末１２５は、仲介支援サーバ１２１の操作を行うための端末である。また、」仲介支援サーバ１２１からの作業指示を表示するための端末である。システム端末１２５と仲介支援サーバ１２１は、１つの装置やプロセッサで構成されていてもよいし、複数の装置やプロセッサで構成されていてもよい。さらに、システム端末１２５と仲介支援サーバ１２１は、物理的に一体の装置として構成されていてもよい。
【０１４４】
宿泊施設予約システム１３１は、宿泊施設がユーザからの宿泊予約情報の管理を行うシステムである。宿泊予約情報は、宿泊日、宿泊人数、食事の有無、料金情報等であり、各宿泊予約情報には予約番号が紐づけされて管理される。宿泊施設予約システム１３１は、ＯＴＡサーバ１５１からの要求で宿泊予約の発行を行い、宿泊予約情報をＯＴＡサーバ１５１へと送信する。宿泊者に関する情報は、必要に応じてＯＴＡサーバ１５１とやり取りを行う。
【０１４５】
ＯＴＡサーバ１５１は、ＯＴＡが設置するサーバであり、ＯＴＡが宿泊施設の予約枠を確保し、端末装置１１１からの要求により宿泊施設の予約枠の販売を行う。
【０１４６】
端末装置１１１は、スマートフォン、携帯電話、ＰＨＳ、コンピュータ、ＰＤＡ、腕時計、スマートウォッチ等の情報処理装置であり、インターネット（ＷＡＮ）、ＬＡＮなどのネットワーク１４１を介して仲介支援サーバ１２１や宿泊施設予約システム１３１に接続可能な装置である。なお、端末装置１１１と仲介支援サーバ１２１や宿泊施設予約システム１３１間の通信回線は、有線でもよいし無線でもよい。
【０１４７】
また、端末装置１１１は、インストールされた専用のアプリケーションソフトウェアによって仲介支援サーバ１２１にアクセスしてもよい。また、仲介支援サーバ１２１や、別途サーバ(不図示)が提供する動作環境（ＡＰＩ（アプリケーションプログラミングインタフェース）、プラットフォーム等）を利用して仲介支援サーバ１２１にアクセスしてもよい。
＜処理の流れ＞
本発明の第６の実施形態に係る仲介支援システム１の動作について、図９に示すフローチャートを参照しながら説明する。また、図９は、端末装置１１１ａを使用する出品者、ＯＴＡサーバ１５１を使用するＯＴＡ、宿泊施設予約システム１３１ａを使用する宿泊施設、仲介支援サーバ１２１を使用する仲介業者、端末装置１１１ｂを使用する購入者の各動作の関連状態をフローチャートに示している。
【０１４８】
ステップＳ６０１において、宿泊施設は、ＯＴＡに対して宿泊予約枠の分配を行う。宿泊予約枠の分配は、サイトコントローラを通じて行っても構わない。
【０１４９】
ステップＳ６０２において、出品者は、端末装置１１１ａから、ＯＴＡサーバ１５１に対して、ネットワーク１４１を介して宿泊施設の宿泊予約を行う。その際に、出品者は、宿泊予約の予約に係る金額Ａに対応するクレジットカード情報の登録をし、ＯＴＡはクレジットカード決済の与信枠を確保する。
【０１５０】
ステップＳ６０３において、ＯＴＡは、ＯＴＡサーバ１５１から、出品者に対して、宿泊予約情報を送信する。宿泊予約情報には予約日、予約人数、予約番号等の情報が含まれる。
【０１５１】
ここで、出品者が予定の変更等により、宿泊予約をキャンセルせず転売したい事態が発生した場合について説明する。ステップＳ６０４において、出品者は、宿泊予約の予約権利をＯＴＡに対して出品を行う。具体的には、出品者は、出品者の端末装置１１１ａから、例えばＯＴＡのＷＥＢページ上の出品ボタン等をクリックすることによって、ＯＴＡサーバ１５１に対して、予約権利の出品要求を送信する。予約番号、宿泊施設名、宿泊プラン、人数、予約に係る金額Ａ(宿泊の定価金額) 、料金支払い方法等はＯＴＡサーバ１５１において情報が記憶されているため、出品者は、出品期間、販売希望の金額Ｂ(販売希望金額)等を入力する。なお、出品者は、ＯＴＡに対して出品を行う際に、仲介業者の要求する出品者の会員登録情報を入力しても構わない。
【０１５２】
次に、ステップＳ６０５において、ＯＴＡサーバ１５１から仲介業者の仲介支援サーバ１２１に対して、予約権利情報が送信される。予約権利情報は、ＯＴＡサーバ１５１が記憶している情報及び出品者が入力した情報から構成され、予約権利に関する出品者個人を特定するための情報、予約番号、宿泊施設名、宿泊プラン、人数、出品期間、予約に係る金額Ａ(宿泊の定価金額)、販売希望の金額Ｂ(販売希望金額)、料金支払い方法等の情報である。
【０１５３】
ステップＳ６０６において、仲介支援サーバ１２１の制御部１２３は、予約権利情報を記憶部１２４に記憶する。記憶された予約権利情報は、出品リストとして構成され、ネットワーク１４１を介してＷＥＢ上で公開される。そのため、購入者は端末装置１１１ｂから出品リストの内容を確認することができる。
【０１５４】
ステップＳ６０７において、購入者は、出品リストから希望する予約権利についての購入を行うことができる。具体的には、購入者が使用する端末装置１１１ｂから出品リストに出品されている予約権利を選択する。購入に際しては、金額Ｂを仲介業者に支払う。支払い方法は、現金でも振り込みでも、クレジットカードによる決済でも構わない。
【０１５５】
ステップＳ６０８において、仲介支援サーバ１２１の制御部１２３は、購入者の有無を判別する。公開された出品リストに対して、購入者があればステップＳ６０９へ処理を進める。出品者が設定した出品期間内に購入者がない場合は処理を終了する。購入者がいなかった情報をＯＴＡサーバに送信しても構わない。
【０１５６】
ステップＳ６０９において、仲介支援サーバ１２１は、ＯＴＡへ購入者があった旨の販売情報の通知を行う。具体的には、制御部１２３は、通信部１２２を介してステップＳ６０７で購入した購入者の個人情報をＯＴＡサーバ１５１へ送信する。
【０１５７】
ステップＳ６１０において、仲介業者は、宿泊施設に対して購入された予約権利の予約者の名義を、ステップＳ６０７で予約権利を購入した購入者の名義への変更を要求する。具体的には、ＯＴＡサーバ１５１は、名義変更要求の指示をシステムの表示装置に表示しても構わない。名義変更要求の指示を見たＯＴＡの職員が電話等で宿泊施設に連絡を行っても構わない。
【０１５８】
ステップＳ６１１において、宿泊施設は、ＯＴＡからの名義変更要求に基づいて、予約権利の名義人の変更を行う。具体的には、宿泊施設予約システム１３１ａにおける予約名義を、ＯＴＡから送信又は連絡された予約権利の購入者への変更を行う。名義変更は、ＯＴＡサーバ１５１から宿泊施設予約システム１３１ａにネットワーク１４１を介して電気的に行ってもよいし、ＯＴＡの職員からの電話等による連絡で宿泊施設の職員が行っても構わない。
【０１５９】
ステップＳ６１２において、購入者は、宿泊施設において、予約権利の内容に基づいて宿泊を行うことができる。ステップＳ６１１において、宿泊者の名義は購入者に変更となっており、また宿泊料金は、ステップＳ６１０において、宿泊施設に、ＯＴＡから既に金額Ａの与信枠の確保が行われているため、購入者は、何らの手間を要することなく、宿泊施設に宿泊をすることができる。
【０１６０】
ステップＳ６１３において、出品者からＯＴＡに対して、ステップＳ６０２で確保された与信枠に基づいて金額Ａのクレジットカードの引落としが行われる。
【０１６１】
ステップＳ６１４において、仲介業者は、出品者に対して出品の対価の支払いを行う。支払いの金額は、ステップＳ６０７で販売された金額Ｂから手数料を引いた額である。仲介業者は、購入者が宿泊できたことを確認した上で支払いを行っても構わない。それにより、出品者が、予約権利を出品したにも関わらず、宿泊施設に対してキャンセルを行われていないことを保証することができる。
【０１６２】
＜効果の説明＞
以上のように、本発明第６の実施形態に係る仲介支援システムによれば、宿泊施設に対する名義変更手続きはＯＴＡが行うことになり、仲介業者の作業負担を低減することができる。また出品される予約権利はＯＴＡが確保している枠であるため、内容の審査が不要又は簡略化することができる点で、仲介業者の作業負担を低減することができる。
【０１６３】
なお、本実施形態において、ＯＴＡと仲介業者は別々に説明しているが、同一事業者が運営を行っても構わない。
【０１６４】
（第７の実施形態）
図１０を用いて第７の実施形態における購入者の端末装置１１１の表示状態の説明を行う。予約権利の購入を希望する購入者は、仲介業者が提供するＷＥＢページ上から、仲介業者の取り扱いのある宿泊施設のリストを参照し、宿泊を希望する宿泊施設を選択することができる。宿泊施設を選択した後の画面が図１０である。図１０では、選択した宿泊施設の宿泊施設名、写真Ｐ，Ｑ，Ｒ（例えばホテルの外観や内装、付帯設備の写真）が表示されている。また、宿泊施設に対する過去のユーザの評価が表示されている。さらに、現在予約権利の出品が行われている件数や、最高値引額、平均値引額が表示されている。「ウォッチリストに登録」のボタンをクリックすると、選択している宿泊施設の予約権利の出品情報が仲介支援サーバ１２１に登録された場合に、購入者に対して例えば電子メールなどにより用法がプッシュ配信される。そのため、購入者は、購入希望の宿泊施設に対する情報を適時に入手することが可能となる。
【０１６５】
なお、選択している宿泊施設の情報には、宿泊施設やＯＴＡからのキャンペーン情報や、宿泊施設自体やＯＴＡが出品する宿泊予約権利の情報が含まれていても構わない。
【０１６６】
（プログラム）
図１１は、コンピュータ２０１の構成を示す概略ブロック図である。コンピュータ２０１は、ＣＰＵ２０２、主記憶装置２０３、補助記憶装置２０４、インタフェース２０５を備える。
【０１６７】
ここで、本発明の実施形態に係る仲介支援サーバ１２１を構成する各機能を実現するためのプログラムの詳細について説明する。
【０１６８】
仲介支援サーバ１２１は、コンピュータ２０１に実装される。そして、仲介支援サーバ１２１の各構成要素の動作は、プログラムの形式で補助記憶装置２０４に記憶されている。ＣＰＵ２０２は、プログラムを補助記憶装置２０４から読み出して主記憶装置２０３に展開し、当該プログラムに従って上記処理を実行する。また、ＣＰＵ２０２は、プログラムに従って、上述した記憶部に対応する記憶領域を主記憶装置２０３に確保する。
【０１６９】
当該プログラムは、具体的には、コンピュータ２０１に、出品者からの譲渡を希望する予約権利情報を受信するステップと、予約権利情報を記憶するステップと、予約権利情報が適正であるかどうかを判別するステップと、適正であると判別された結果、予約権利情報から出品リストを生成し記憶部に記憶するステップと、出品リストの配信を受けた購入希望者からの予約権利の購入希望情報を受信した場合、出品者に対して購入希望情報に基づく情報を送信し、発行者に対して購入希望情報に基づく名義変更要求をするための情報を生成するステップと、を実行させるための仲介支援プログラムである。
【０１７０】
なお、補助記憶装置２０４は、一時的でない有形の媒体の一例である。一時的でない有形の媒体の他の例としては、インタフェース２０５を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ２０１に配信される場合、配信を受けたコンピュータ２０１が当該プログラムを主記憶装置２０３に展開し、上記処理を実行しても良い。
【０１７１】
また、当該プログラムは、前述した機能の一部を実現するためのものであっても良い。さらに、当該プログラムは、前述した機能を補助記憶装置２０４に既に記憶されている他のプログラムとの組み合わせで実現するもの、いわゆる差分ファイル（差分プログラム）であっても良い。
【０１７２】
以上、本発明のいくつかの実施形態を説明したが、これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【０１７３】
１、２・・・仲介支援システム  １１１、１１１ａ、１１１ｂ、１１１ｃ・・・端末装置
１２１・・・仲介支援サーバ  １２２・・・通信部  １２３・・・制御部
１２４・・・記憶部  １３１、１３１ａ、１３１ｂ、１３１ｃ・・・宿泊施設予約システム  １４１・・・ネットワーク  １５１・・・ＯＴＡサーバ  ２０１・・・コンピュータ
２０２・・・ＣＰＵ  ２０３・・・主記憶装置  ２０４・・・補助記憶装置
２０５・・・インタフェース
【図１】
2018097428.tif 000003
【図２】
2018097428.tif 000004
【図３】
2018097428.tif 000005
【図４】
2018097428.tif 000006
【図５】
2018097428.tif 000007
【図６】
2018097428.tif 000008
【図７】
2018097428.tif 000009
【図８】
2018097428.tif 000010
【図９】
2018097428.tif 000011
【図１０】
2018097428.tif 000012
【図１１】
2018097428.tif 000013
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
発行者が発行する予約権利に関する予約権利情報を管理する仲介支援サーバであって、
料金支払い方法に関する情報を含む出品者からの譲渡を希望する前記予約権利情報を受信する通信部と、
前記予約権利情報を記憶する記憶部と、
前記予約権利情報が適正であるかどうかを判別し、適正であると判別された結果、前記予約権利情報から出品リストを生成し前記記憶部に記憶する制御部とを備え、
前記制御部は、前記記憶部に記憶されている前記出品リストの配信を受けた購入希望者からの前記予約権利の購入希望情報を受信した場合、前記予約権利情報に基づき予約時に前記発行者へ予約に係る金額の支払い手続きが行われているか行われていないかを判別し、
前記判別の結果、支払い手続きが行われている場合、前記出品者に対して前記予約権利情報に含まれる販売希望金額から所定金額を引いた金額の支払いを行うための情報を生成し、
前記判別の結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行い、
さらに、前記出品者に対して前記購入希望情報に基づく情報を送信し、前記発行者に対して前記購入希望情報に基づく名義変更要求をするための情報を生成する仲介支援サーバ。
【請求項２】
前記制御部は、前記購入希望情報を受信の有無にかかわらず、前記出品者に対しての前記予約権利情報に含まれる販売希望金額に基づく金額から所定金額を引いた金額の支払いを行うための情報を生成する請求項１に記載の仲介支援サーバ。
【請求項３】
前記制御部は、前記購入希望者からの要求に基づき予約権利の出品可能性のある前記発行者の情報が前記出品リストに含まれることとなった場合、前記購入希望者に対して、前記出品可能性のある発行者の情報を含む情報の送信を行うことを特徴とする請求項１又は２に記載の仲介支援サーバ。
【請求項４】
前記記憶部は、前記発行者が名義変更を受け付けるかどうかの発行者情報を有し、前記制御部は、前記発行者情報に基づき前記予約権利情報が適正であるかどうかの判別を行う請求項１乃至３のいずれか一項に記載の仲介支援サーバ。
【請求項５】
前記予約権利は、宿泊施設に関する予約権利であることを特徴とする請求項１乃至４のいずれか一項に記載の仲介支援サーバ。
【請求項６】
発行者が発行する予約権利に関する予約権利情報を管理する仲介支援システムであって、
仲介支援サーバは、料金支払い方法に関する情報を含む出品者からの譲渡を希望する前記予約権利情報を受信し、前記予約権利情報を記憶し、前記予約権利情報が適正であるかどうかを判別し、適正であると判別された結果、前記予約権利情報から出品リストを生成し、記憶し、前記出品リストの配信を受けた購入希望者からの前記予約権利の購入希望情報を受信した場合、前記予約権利情報に基づき予約時に前記発行者へ予約に係る金額の支払い手続きが行われているか行われていないかを判別し、
前記判別の結果、支払い手続きが行われている場合、前記出品者に対して前記販売希望金額から所定金額を引いた金額の支払いを行うための情報を生成し、
前記判別の結果、支払い手続きが行われていない場合、前記発行者に対して前記予約に係る金額の支払いを行うための情報を生成し、前記予約に係る金額から前記予約権利情報に含まれる販売希望金額を引いた金額に所定金額を加えた金額の支払い要求の通知を前記出品者へ行い、
さらに、前記出品者に対して前記購入希望情報に基づく情報を送信し、前記発行者に対して前記購入希望情報に基づく名義変更要求をするための情報を生成することを特徴とする仲介支援システム。
【請求項７】
発行者が発行する予約権利に関する予約権利情報を管理する仲介支援方法であって、
仲介支援サーバが、
料金支払い方法に関する情報を含む出品者からの譲渡を希望する前記予約権利情報を受信するステップと、
前記予約権利情報を記憶するステップと、
前記予約権利情報が適正であるかどうかを判別するステップと、
適正であると判別された結果、前記予約権利情報から出品リストを生成し、記憶するステップと、
前記出品リストの配信を受けた購入希望者からの前記予約権利の購入希望情報を受信した場合、前記制御部は、前記予約権利情報に基づき予約時に前記発行者へ予約に係る金額の支払い手続きが行われているか行われていないかを判別するステップと、
前記判別ステップの結果、支払い手続きが行われている場合、前記出品者に対して前記予約権利情報に含まれる販売希望金額から所定金額を引いた金額の支払いを行うための情報を生成するステップと、
前記判別ステップの結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行うステップと、
さらに、前記出品者に対して前記購入希望情報に基づく情報を送信し、前記発行者に対して前記購入希望情報に基づく名義変更要求をするための情報を生成するステップとを有する仲介支援方法。
【請求項８】
発行者が発行する予約権利に関する予約権利情報を管理する仲介支援プログラムであって、
料金支払い方法に関する情報を含む出品者からの譲渡を希望する前記予約権利情報を受信するステップと、
前記予約権利情報を記憶するステップと、
前記予約権利情報が適正であるかどうかを判別するステップと、
適正であると判別された結果、前記予約権利情報から出品リストを生成し、記憶するステップと、
前記出品リストの配信を受けた購入希望者からの前記予約権利の購入希望情報を受信した場合、前記予約権利情報に基づき予約時に前記発行者へ予約に係る金額の支払い手続きが行われているか行われていないかを判別するステップと、
前記判別ステップの結果、支払い手続きが行われている場合、前記出品者に対して前記予約権利情報に含まれる販売希望金額から所定金額を引いた金額の支払いを行うための情報を生成するステップと、
前記判別ステップの結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行うステップと、
さらに、前記出品者に対して前記購入希望情報に基づく情報を送信し、前記発行者に対して前記購入希望情報に基づく名義変更要求をするための情報を生成するステップとを電子計算機に実行させる仲介支援プログラム。
【請求項９】
ネットワークを介して発行者が発行する予約権利情報を管理する管理サーバと接続され、料金支払い方法に関する情報を含む出品者が譲渡を希望する予約権利情報を管理する仲介支援サーバであって
前記管理サーバからの前記譲渡を希望する予約権利情報を受信する通信部と、
前記譲渡を希望する予約権利情報を記憶する記憶部と、
前記譲渡を希望する予約権利情報から出品リストを生成し前記記憶部に記憶する制御部とを備え、
前記制御部は、前記記憶部に記憶されている前記出品リストの配信を受けた購入希望者からの前記予約権利の購入希望情報を受信した場合、前記予約権利情報に基づき予約時に前記発行者へ前記予約に係る金額の支払い手続きが行われているか行われていないかを判別し、
前記判別の結果、支払い手続きが行われている場合、前記出品者に対して前記予約権利情報に含まれる販売希望金額から所定金額を引いた金額の支払いを行うための情報を生成し、
前記判別の結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行い、
前記管理サーバに対して前記購入希望者の名義情報を送信する仲介支援サーバ。
【手続補正２】
【補正対象書類名】明細書
【補正対象項目名】０００７
【補正方法】変更
【補正の内容】
【０００７】
発行者が発行する予約権利に関する予約権利情報を管理する仲介支援サーバであって、料金支払い方法に関する情報を含む出品者からの譲渡を希望する予約権利情報を受信する通信部と、予約権利情報を記憶する記憶部と、予約権利情報が適正であるかどうかを判別し、適正であると判別された結果、予約権利情報から出品リストを生成し記憶部に記憶する制御部とを備え、制御部は、記憶部に記憶されている出品リストの配信を受けた購入希望者からの予約権利の購入希望情報を受信した場合、予約権利情報に基づき予約時に発行者へ予約に係る金額の支払い手続きが行われているか行われていないかを判別し、判別の結果、支払い手続きが行われている場合、出品者に対して予約権利情報に含まれる販売希望金額から所定金額を引いた金額の支払いを行うための情報を生成し、判別の結果、支払い手続きが行われていない場合、発行者に対して予約に係る金額の支払いを行うための情報を生成し、予約に係る金額から販売希望金額を引いた金額に所定金額を加えた金額の支払い要求の通知を出品者へ行い、さらに、出品者に対して購入希望情報に基づく情報を送信し、発行者に対して購入希望情報に基づく名義変更要求をするための情報を生成する仲介支援サーバである。
【手続補正３】
【補正対象書類名】明細書
【補正対象項目名】０００８
【補正方法】変更
【補正の内容】
【０００８】
また、発行者が発行する予約権利に関する予約権利情報を管理する仲介支援システムであって、仲介支援サーバは、料金支払い方法に関する情報を含む出品者からの譲渡を希望する予約権利情報を受信し、予約権利情報を記憶し、予約権利情報が適正であるかどうかを判別し、適正であると判別された結果、予約権利情報から出品リストを生成し、記憶し、出品リストの配信を受けた購入希望者からの予約権利の購入希望情報を受信した場合、予約権利情報に基づき予約時に発行者へ予約に係る金額の支払い手続きが行われているか行われていないかを判別し、判別の結果、支払い手続きが行われている場合、出品者に対して販売希望金額から所定金額を引いた金額の支払いを行うための情報を生成し、判別の結果、支払い手続きが行われていない場合、発行者に対して予約に係る金額の支払いを行うための情報を生成し、予約に係る金額から予約権利情報に含まれる販売希望金額を引いた金額に所定金額を加えた金額の支払い要求の通知を出品者へ行い、さらに、出品者に対して購入希望情報に基づく情報を送信し、発行者に対して購入希望情報に基づく名義変更要求をするための情報を生成する仲介支援システムである。
【手続補正４】
【補正対象書類名】明細書
【補正対象項目名】０００９
【補正方法】変更
【補正の内容】
【０００９】
また、発行者が発行する予約権利に関する予約権利情報を管理する仲介支援方法であって、仲介支援サーバが、料金支払い方法に関する情報を含む出品者からの譲渡を希望する予約権利情報を受信するステップと、予約権利情報を記憶するステップと、予約権利情報が適正であるかどうかを判別するステップと、適正であると判別された結果、予約権利情報から出品リストを生成し、記憶するステップと、出品リストの配信を受けた購入希望者からの予約権利の購入希望情報を受信した場合、制御部は、予約権利情報に基づき予約時に発行者へ予約に係る金額の支払い手続きが行われているか行われていないかを判別するステップと、判別ステップの結果、支払い手続きが行われている場合、出品者に対して予約権利情報に含まれる販売希望金額から所定金額を引いた金額の支払いを行うための情報を生成するステップと、判別ステップの結果、支払い手続きが行われていない場合、発行者に対して予約に係る金額の支払いを行うための情報を生成し、予約に係る金額から販売希望金額を引いた金額に所定金額を加えた金額の支払い要求の通知を出品者へ行うステップと、さらに、出品者に対して購入希望情報に基づく情報を送信し、発行者に対して購入希望情報に基づく名義変更要求をするための情報を生成するステップとを有する仲介支援方法である。
【手続補正５】
【補正対象書類名】明細書
【補正対象項目名】００１０
【補正方法】変更
【補正の内容】
【００１０】
また、発行者が発行する予約権利に関する予約権利情報を管理する仲介支援プログラムであって、料金支払い方法に関する情報を含む出品者からの譲渡を希望する予約権利情報を受信するステップと、予約権利情報を記憶するステップと、予約権利情報が適正であるかどうかを判別するステップと、適正であると判別された結果、予約権利情報から出品リストを生成し、記憶するステップと、出品リストの配信を受けた購入希望者からの予約権利の購入希望情報を受信した場合、予約権利情報に基づき予約時に発行者へ予約に係る金額の支払い手続きが行われているか行われていないかを判別するステップと、判別ステップの結果、支払い手続きが行われている場合、出品者に対して予約権利情報に含まれる販売希望金額から所定金額を引いた金額の支払いを行うための情報を生成するステップと、判別ステップの結果、支払い手続きが行われていない場合、発行者に対して予約に係る金額の支払いを行うための情報を生成し、予約に係る金額から販売希望金額を引いた金額に所定金額を加えた金額の支払い要求の通知を出品者へ行うステップと、さらに、出品者に対して購入希望情報に基づく情報を送信し、発行者に対して購入希望情報に基づく名義変更要求をするための情報を生成するステップとを電子計算機に実行させる仲介支援プログラムである。
【手続補正６】
【補正対象書類名】明細書
【補正対象項目名】００１１
【補正方法】変更
【補正の内容】
【００１１】
また、ネットワークを介して発行者が発行する予約権利情報を管理する管理サーバと接続され、料金支払い方法に関する情報を含む出品者が譲渡を希望する予約権利情報を管理する仲介支援サーバであって、管理サーバからの譲渡を希望する予約権利情報を受信する通信部と、譲渡を希望する予約権利情報を記憶する記憶部と、譲渡を希望する予約権利情報から出品リストを生成し記憶部に記憶する制御部とを備え、制御部は、記憶部に記憶されている出品リストの配信を受けた購入希望者からの予約権利の購入希望情報を受信した場合、予約権利情報に基づき予約時に発行者へ予約に係る金額の支払い手続きが行われているか行われていないかを判別し、判別の結果、支払い手続きが行われている場合、出品者に対して予約権利情報に含まれる販売希望金額から所定金額を引いた金額の支払いを行うための情報を生成し、判別の結果、支払い手続きが行われていない場合、発行者に対して予約に係る金額の支払いを行うための情報を生成し、予約に係る金額から販売希望金額を引いた金額に所定金額を加えた金額の支払い要求の通知を出品者へ行い、管理サーバに対して購入希望者の名義情報を送信する仲介支援サーバである。
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
発行者が発行する予約権利に関する予約権利情報を管理する仲介支援サーバであって、
料金支払い方法に関する情報を含む出品者からの譲渡を希望する前記予約権利情報を受信する通信部と、
前記予約権利情報を記憶する記憶部と、
前記予約権利情報が適正であるかどうかを判別し、適正であると判別された結果、前記予約権利情報から出品リストを生成し前記記憶部に記憶する制御部とを備え、
前記制御部は、前記記憶部に記憶されている前記出品リストの配信を受けた購入希望者からの前記予約権利の購入希望情報を受信した場合、前記予約権利情報に基づき予約時に前記発行者へ予約に係る金額の支払い手続きが行われているか行われていないかを判別し、
前記判別の結果、支払い手続きが行われている場合、前記出品者に対して前記予約権利情報に含まれる販売希望金額から所定金額を引いた金額の支払いを行うための情報を生成し、
前記判別の結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行い、
さらに、前記出品者に対して前記購入希望情報に基づく情報を送信し、前記発行者に対して前記購入希望情報に基づく名義変更要求をするための情報を生成する仲介支援サーバ。
【請求項２】
前記制御部は、前記購入希望情報を受信の有無にかかわらず、前記出品者に対しての前記予約権利情報に含まれる販売希望金額に基づく金額から所定金額を引いた金額の支払いを行うための情報を生成する請求項１に記載の仲介支援サーバ。
【請求項３】
前記制御部は、前記購入希望者からの要求に基づき予約権利の出品可能性のある前記発行者の情報が前記出品リストに含まれることとなった場合、前記購入希望者に対して、前記出品可能性のある発行者の情報を含む情報の送信を行うことを特徴とする請求項１又は２に記載の仲介支援サーバ。
【請求項４】
前記記憶部は、前記発行者が名義変更を受け付けるかどうかの発行者情報を有し、前記制御部は、前記発行者情報に基づき前記予約権利情報が適正であるかどうかの判別を行う請求項１乃至３のいずれか一項に記載の仲介支援サーバ。
【請求項５】
前記予約権利は、宿泊施設に関する予約権利であることを特徴とする請求項１乃至４のいずれか一項に記載の仲介支援サーバ。
【請求項６】
発行者が発行する予約権利に関する予約権利情報を管理する仲介支援システムであって、
仲介支援サーバは、料金支払い方法に関する情報を含む出品者からの譲渡を希望する前記予約権利情報を受信し、前記予約権利情報を記憶し、前記予約権利情報が適正であるかどうかを判別し、適正であると判別された結果、前記予約権利情報から出品リストを生成し、記憶し、前記出品リストの配信を受けた購入希望者からの前記予約権利の購入希望情報を受信した場合、前記予約権利情報に基づき予約時に前記発行者へ予約に係る金額の支払い手続きが行われているか行われていないかを判別し、
前記判別の結果、支払い手続きが行われている場合、前記出品者に対して販売希望金額から所定金額を引いた金額の支払いを行うための情報を生成し、
前記判別の結果、支払い手続きが行われていない場合、前記発行者に対して前記予約に係る金額の支払いを行うための情報を生成し、前記予約に係る金額から前記予約権利情報に含まれる前記販売希望金額を引いた金額に所定金額を加えた金額の支払い要求の通知を前記出品者へ行い、
さらに、前記出品者に対して前記購入希望情報に基づく情報を送信し、前記発行者に対して前記購入希望情報に基づく名義変更要求をするための情報を生成することを特徴とする仲介支援システム。
【請求項７】
発行者が発行する予約権利に関する予約権利情報を管理する仲介支援方法であって、
仲介支援サーバが、
料金支払い方法に関する情報を含む出品者からの譲渡を希望する前記予約権利情報を受信するステップと、
前記予約権利情報を記憶するステップと、
前記予約権利情報が適正であるかどうかを判別するステップと、
適正であると判別された結果、前記予約権利情報から出品リストを生成し、記憶するステップと、
前記出品リストの配信を受けた購入希望者からの前記予約権利の購入希望情報を受信した場合、前記予約権利情報に基づき予約時に前記発行者へ予約に係る金額の支払い手続きが行われているか行われていないかを判別するステップと、
前記支払い手続きの判別ステップの結果、支払い手続きが行われている場合、前記出品者に対して前記予約権利情報に含まれる販売希望金額から所定金額を引いた金額の支払いを行うための情報を生成するステップと、
前記支払い手続きの判別ステップの結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行うステップと、
さらに、前記出品者に対して前記購入希望情報に基づく情報を送信し、前記発行者に対して前記購入希望情報に基づく名義変更要求をするための情報を生成するステップとを有する仲介支援方法。
【請求項８】
発行者が発行する予約権利に関する予約権利情報を管理する仲介支援プログラムであって、
料金支払い方法に関する情報を含む出品者からの譲渡を希望する前記予約権利情報を受信するステップと、
前記予約権利情報を記憶するステップと、
前記予約権利情報が適正であるかどうかを判別するステップと、
適正であると判別された結果、前記予約権利情報から出品リストを生成し、記憶するステップと、
前記出品リストの配信を受けた購入希望者からの前記予約権利の購入希望情報を受信した場合、前記予約権利情報に基づき予約時に前記発行者へ予約に係る金額の支払い手続きが行われているか行われていないかを判別するステップと、
前記支払い手続きの判別ステップの結果、支払い手続きが行われている場合、前記出品者に対して前記予約権利情報に含まれる販売希望金額から所定金額を引いた金額の支払いを行うための情報を生成するステップと、
前記支払い手続きの判別ステップの結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行うステップと、
さらに、前記出品者に対して前記購入希望情報に基づく情報を送信し、前記発行者に対して前記購入希望情報に基づく名義変更要求をするための情報を生成するステップとを電子計算機に実行させる仲介支援プログラム。
【請求項９】
ネットワークを介して発行者が発行する予約権利情報を管理する管理サーバと接続され、料金支払い方法に関する情報を含む出品者が譲渡を希望する予約権利情報を管理する仲介支援サーバであって
前記管理サーバからの前記譲渡を希望する予約権利情報を受信する通信部と、
前記譲渡を希望する予約権利情報を記憶する記憶部と、
前記譲渡を希望する予約権利情報から出品リストを生成し前記記憶部に記憶する制御部とを備え、
前記制御部は、前記記憶部に記憶されている前記出品リストの配信を受けた購入希望者からの前記予約権利の購入希望情報を受信した場合、前記予約権利情報に基づき予約時に前記発行者へ前記予約に係る金額の支払い手続きが行われているか行われていないかを判別し、
前記判別の結果、支払い手続きが行われている場合、前記出品者に対して前記予約権利情報に含まれる販売希望金額から所定金額を引いた金額の支払いを行うための情報を生成し、
前記判別の結果、支払い手続きが行われていない場合、前記発行者に対して前記予約に係る金額の支払いを行うための情報を生成し、前記予約に係る金額から前記販売希望金額を引いた金額に所定金額を加えた金額の支払い要求の通知を前記出品者へ行い、
前記管理サーバに対して前記購入希望者の名義情報を送信する仲介支援サーバ。
【手続補正２】
【補正対象書類名】明細書
【補正対象項目名】０００９
【補正方法】変更
【補正の内容】
【０００９】
また、発行者が発行する予約権利に関する予約権利情報を管理する仲介支援方法であって、仲介支援サーバが、料金支払い方法に関する情報を含む出品者からの譲渡を希望する予約権利情報を受信するステップと、予約権利情報を記憶するステップと、予約権利情報が適正であるかどうかを判別するステップと、適正であると判別された結果、予約権利情報から出品リストを生成し、記憶するステップと、出品リストの配信を受けた購入希望者からの予約権利の購入希望情報を受信した場合、予約権利情報に基づき予約時に発行者へ予約に係る金額の支払い手続きが行われているか行われていないかを判別するステップと、支払い手続きの判別ステップの結果、支払い手続きが行われている場合、出品者に対して予約権利情報に含まれる販売希望金額から所定金額を引いた金額の支払いを行うための情報を生成するステップと、支払い手続きの判別ステップの結果、支払い手続きが行われていない場合、発行者に対して予約に係る金額の支払いを行うための情報を生成し、予約に係る金額から販売希望金額を引いた金額に所定金額を加えた金額の支払い要求の通知を出品者へ行うステップと、さらに、出品者に対して購入希望情報に基づく情報を送信し、発行者に対して購入希望情報に基づく名義変更要求をするための情報を生成するステップとを有する仲介支援方法である。
【手続補正３】
【補正対象書類名】明細書
【補正対象項目名】００１０
【補正方法】変更
【補正の内容】
【００１０】
また、発行者が発行する予約権利に関する予約権利情報を管理する仲介支援プログラムであって、料金支払い方法に関する情報を含む出品者からの譲渡を希望する予約権利情報を受信するステップと、予約権利情報を記憶するステップと、予約権利情報が適正であるかどうかを判別するステップと、適正であると判別された結果、予約権利情報から出品リストを生成し、記憶するステップと、出品リストの配信を受けた購入希望者からの予約権利の購入希望情報を受信した場合、予約権利情報に基づき予約時に発行者へ予約に係る金額の支払い手続きが行われているか行われていないかを判別するステップと、支払い手続きの判別ステップの結果、支払い手続きが行われている場合、出品者に対して予約権利情報に含まれる販売希望金額から所定金額を引いた金額の支払いを行うための情報を生成するステップと、支払い手続きの判別ステップの結果、支払い手続きが行われていない場合、発行者に対して予約に係る金額の支払いを行うための情報を生成し、予約に係る金額から販売希望金額を引いた金額に所定金額を加えた金額の支払い要求の通知を出品者へ行うステップと、さらに、出品者に対して購入希望情報に基づく情報を送信し、発行者に対して購入希望情報に基づく名義変更要求をするための情報を生成するステップとを電子計算機に実行させる仲介支援プログラムである。